(57)【要約】      （修正有）【課題】ベンディングの種類及びそれに対応する動作の予備知識がなくともベンディングを効率よく使用することができるフレキシブルディスプレイ装置及び制御方法を提供する。【解決手段】フレキシブル装置１００の形状を変形させるベンディングを検知するための検知部１１０と、予め設定されたベンディングが検知されると、ベンディングに対応する制御動作を行う制御部１２０とを含む。制御部１２０は、画面上にディスプレイされる客体別に設定されたベンディングに対するベンディングインタラクションガイドを付加して提供する。それにより、ベンディングの種類を容易に把握させる。【選択図】図１
2014029690.tif 000002
【特許請求の範囲】
【請求項１】
フレキシブル装置において、
前記フレキシブル装置の形状を変形させるベンディングを検知するための検知部と、
予め設定されたベンディングが検知されると、前記ベンディングに対応する制御動作を行う制御部と
を含み、
前記制御部は、
画面上にディスプレイされる客体別に設定されたベンディングに対するベンディングインタラクションガイドを付加して提供するフレキシブル装置。
【請求項２】
ディスプレイ装置と接続されたインターフェース部を更に含み、
前記制御部は、
前記客体及び前記客体に対して付加されるベンディングインタラクションガイドに対する情報を前記ディスプレイ装置に伝送し、前記ベンディングが検知されると、前記ベンディングに対応する制御動作を指示する制御信号を前記ディスプレイ装置に伝送することを特徴とする請求項１に記載のフレキシブル装置。
【請求項３】
前記ベンディングインタラクションガイドがそれぞれ付加された少なくとも一つの客体を含む画面を構成するグラフィック処理部と、
前記画面をディスプレイするディスプレイ部と
を更に含むことを特徴とする請求項１または２に記載のフレキシブル装置。
【請求項４】
前記ベンディングインタラクションガイドは、各客体別に一意的に（ｕｎｉｑｕｅｌｙ）設定されたベンディングを視覚的に表現したものであることを特徴とする請求項３に記載のフレキシブル装置。
【請求項５】
前記ベンディングインタラクションガイドは、前記画面上における各客体の表示位置に応じて異なるように設定されたベンディングを視覚的に表現したものであることを特徴とする請求項３に記載のフレキシブル装置。
【請求項６】
前記制御部は、
画面転換が行われると、転換前の画面で各客体の表示位置別に設定されたベンディングを、転換後の画面で新たに表示される新規客体の表示位置に応じて同一に設定し、
前記新規客体に対して設定されたベンディングに対するベンディングインタラクションガイドを前記新規客体に付加してディスプレイすることを特徴とする請求項３ないし５のいずれか一項に記載のフレキシブル装置。
【請求項７】
前記客体は、アプリケーションアイコンであり、
前記制御部は、
前記客体に設定されたベンディングが検知されると、前記客体に対応するアプリケーションを実行させることを特徴とする請求項３ないし６のいずれか一項に記載のフレキシブル装置。
【請求項８】
前記画面は、文字または記号入力のための入力領域を含み、
前記客体は、前記文字または前記記号を入力するための選択ボタンを表示する客体であり、
前記制御部は、
前記客体に対して設定されたベンディングが検知されると、前記客体に対応する文字または記号を前記入力領域に表示することを特徴とする請求項３ないし７のいずれか一項に記載のフレキシブル装置。
【請求項９】
前記ベンディングインタラクションガイドは、前記ベンディングの特性に応じて、ライン幅、ライン数、ラインの形、ライン方向、ライン位置、ライン角度、ライン色相、ラインサイズ、ライン長のうち、少なくとも一つが調整されたラインイメージガイドを含むことを特徴とする請求項３ないし８のいずれか一項に記載のフレキシブル装置。
【請求項１０】
前記ベンディングインタラクションガイドは、前記ラインイメージガイドとともに表示される文字ガイド及び記号ガイドの少なくとも一方を更に含むことを特徴とする請求項９に記載のフレキシブル装置。
【請求項１１】
フレキシブル装置の制御方法において、
ベンディングに対するベンディングインタラクションガイドの付加された客体を含む画面を提供するステップと、
前記フレキシブル装置の形状を変形させるベンディングを検知するステップと、
前記画面上に表示された客体に対して設定されたベンディングが検知されると、前記客体に対応する動作を行うステップと
を含む制御方法。
【請求項１２】
前記画面を提供するステップは、
前記客体及び前記客体に対して付加されるベンディングインタラクションガイドに対する情報を前記フレキシブル装置に接続されたディスプレイ装置に伝送し、前記ディスプレイ装置を通じて前記画面をディスプレイすることを特徴とする請求項１１に記載の制御方法。
【請求項１３】
前記画面を提供するステップは、
前記ベンディングインタラクションガイドがそれぞれ付加された少なくとも一つの客体を含む画面を構成するステップと、
前記フレキシブル装置に設けられたディスプレイ部を介して前記画面をディスプレイするステップと
を更に含むことを特徴とする請求項１１または１２に記載の制御方法。
【請求項１４】
前記ベンディングインタラクションガイドは、各客体別に一意的に（ｕｎｉｑｕｅｌｙ）設定されたベンディングを視覚的に表現したものであることを特徴とする請求項１３に記載の制御方法。
【請求項１５】
前記ベンディングインタラクションガイドは、前記画面上における各客体の表示位置に応じて異なるように設定されたベンディングを視覚的に表現したものであることを特徴とする請求項１３に記載の制御方法。
【発明の詳細な説明】
【技術分野】
【０００１】
本発明は、フレキシブル装置及びその制御方法に関し、より詳細には、ベンディングに対応するベンディングインタラクションガイドを提供するフレキシブル装置及びその制御方法に関する。
【背景技術】
【０００２】
電子技術の発達により、多様なディスプレイ装置が開発されている。特に、テレビやパソコン、ラップトップコンピュータ、タブレットパソコン、携帯電話、ＭＰ３プレーヤ等のようなディスプレイ装置は多くの家庭までに普及され使用されている。
【０００３】
最近は、より新しくかつ多様な機能を望むユーザのニーズに応えるべく、ディスプレイ装置をより新しい形態で開発するための取り組みが行われている。所謂、次世代ディスプレイと呼ばれるものである。
【０００４】
次世代ディスプレイ装置の一例としてフレキシブルディスプレイ装置がある。フレキシブルディスプレイ装置とは、まるで紙のように変形自在な特性を有するディスプレイ装置を意味する。
【０００５】
フレキシブルディスプレイ装置は、既存のディスプレイ装置と違って柔軟であるという特性がある。このようなことに鑑み、従来使用されるタッチ以外にベンディングを利用した多様な入力方式が適用されてよい。ベンディング入力方式が適用される場合、ユーザはフレキシブルディスプレイ装置の一部分を曲げてその装置の動作を制御することができる。仮に、ユーザが角の部分をベンディングさせると、画面を次のページに転換する動作が行われてよい。
【０００６】
このように、ベンディングを用いてフレキシブルディスプレイ装置を制御するために、ユーザはベンディングの種類及びそれに対応する動作を熟知していなければならない。しかし、こどもやお年寄りのようにベンディング入力に慣れてないユーザである場合には、その内容を熟知することが困難な場合がある。なお、多様な種類のベンディングにマッチングした機能をサポートする場合には、一般ユーザであっても、ベンディングを効率よく使用することが難しいという問題点があった。
【０００７】
それにより、ベンディングを効率よく利用することができる技術を工夫する必要があった。
【先行技術文献】
【特許文献】
【０００８】
【特許文献１】韓国特開第２００９−００７３８７３号公報
【発明の概要】
【発明が解決しようとする課題】
【０００９】
そこで、本発明は、上記問題に鑑みてなされたものであり、本発明の目的とするところは、ベンディングインタラクションガイドを提供してサポート可能なベンディングを容易に認識できるようにするフレキシブル装置及びその制御方法を提供することにある。
【課題を解決するための手段】
【００１０】
以上のような目的を達成するための本発明の一実施形態に係るフレキシブル装置は、前記フレキシブル装置の形状を変形させるベンディングを検知するための検知部と、予め設定されたベンディングが検知されると、前記ベンディングに対応する制御動作を行う制御部とを含む。
【００１１】
ここで、前記制御部は、画面上にディスプレイされる客体別に設定されたベンディングに対するベンディングインタラクションガイドを付加して提供してよい。
【００１２】
一例として、フレキシブル装置は、ディスプレイ装置と接続されたインターフェース部を更に含む。そして、前記制御部は、前記客体及び前記客体に対して付加されるベンディングインタラクションガイドに対する情報を前記ディスプレイ装置に伝送し、前記ベンディングが検知されると、前記ベンディングに対応する制御動作を指示する制御信号を前記ディスプレイ装置に伝送してよい。
【００１３】
または、フレキシブル装置は、前記ベンディングインタラクションガイドがそれぞれ付加された少なくとも一つの客体を含む画面を構成するグラフィック処理部と、前記画面をディスプレイするディスプレイ部とを更に含んでよい。
【００１４】
一方、前記ベンディングインタラクションガイドは、各客体別に一意的に（ｕｎｉｑｕｅｌｙ）設定されたベンディングを視覚的に表現したものであってよい。
【００１５】
または、前記ベンディングインタラクションガイドは、前記画面上における各客体の表示位置に応じて異なるように設定されたベンディングを視覚的に表現したものであってよい。
【００１６】
そして、前記制御部は、画面転換が行われると、転換前の画面で各客体の表示位置別に設定されたベンディングを、転換後の画面で新たに表示される新規客体の表示位置に応じて同一に設定し、前記新規客体に対して設定されたベンディングに対するベンディングインタラクションガイドを前記新規客体に付加してディスプレイしてよい。
【００１７】
なお、前記客体は、アプリケーションアイコンであり、前記制御部は、前記客体に設定されたベンディングが検知されると、前記客体に対応するアプリケーションを実行させてよい。
【００１８】
そして、前記画面は、文字または記号入力のための入力領域を含み、前記客体は、前記文字または前記記号を入力するための選択ボタンを表示する客体である。前記制御部は、前記客体に対して設定されたベンディングが検知されると、前記客体に対応する文字または記号を前記入力領域に表示してよい。
【００１９】
なお、前記ベンディングインタラクションガイドは、前記ベンディングの特性に応じて、ライン幅、ライン数、ラインの形、ライン方向、ライン位置、ライン角度、ライン色相、ラインサイズ、ライン長のうち、少なくとも一つが調整されたラインイメージガイドを含んでよい。
【００２０】
または、前記ベンディングインタラクションガイドは、前記ラインイメージガイドとともに表示される文字ガイド及び記号ガイドの少なくとも一方を更に含んでよい。
【００２１】
一方、本発明の一実施形態に係るフレキシブル装置の制御方法は、ベンディングに対するベンディングインタラクションガイドの付加された客体を含む画面を提供するステップと、前記フレキシブル装置の形状を変形させるベンディングを検知するステップと、前記画面上に表示された客体に対して設定されたベンディングが検知されると、前記客体に対応する動作を行うステップとを含む。
【００２２】
ここで、前記画面を提供するステップは、前記客体及び前記客体に対して付加されるベンディングインタラクションガイドに対する情報を前記フレキシブル装置に接続されたディスプレイ装置に伝送し、前記ディスプレイ装置を通じて前記画面をディスプレイしてよい。
【００２３】
または、前記画面を提供するステップは、前記ベンディングインタラクションガイドがそれぞれ付加された少なくとも一つの客体を含む画面を構成するステップと、前記フレキシブル装置に設けられたディスプレイ部を介して前記画面をディスプレイするステップとを更に含んでよい。
【００２４】
一方、前記ベンディングインタラクションガイドは、各客体別に一意的に（ｕｎｉｑｕｅｌｙ）設定されたベンディングを視覚的に表現したものであってよい。
【００２５】
または、前記ベンディングインタラクションガイドは、前記画面上における各客体の表示位置に応じて異なるように設定されたベンディングを視覚的に表現したものであってよい。
【００２６】
または、本方法は、画面転換が行われると、転換前の画面で各客体の表示位置別に設定されたベンディングを、転換後の画面で新たに表示される新規客体の表示位置に応じて同一に設定し、前記新規客体に対して設定されたベンディングに対するベンディングインタラクションガイドを前記新規客体に付加してディスプレイするステップを更に含んでよい。
【００２７】
一方、前記客体は、アプリケーションアイコンであり、前記動作を行うステップは、前記客体に設定されたベンディングが検知されると、前記客体に対応するアプリケーションを実行させてよい。
【００２８】
なお、前記画面は、文字または記号入力のための入力領域を含み、前記客体は、前記文字または前記記号を入力するための選択ボタンを表示する客体であり、前記動作を行うステップは、前記客体に対して設定されたベンディングが検知されると、前記客体に対応する文字または記号を前記入力領域に表示してよい。
【００２９】
一方、前記ベンディングインタラクションガイドは、前記ベンディングの特性に応じて、ライン幅、ライン数、ラインの形、ライン方向、ライン位置、ライン角度、ライン色相、ラインサイズ、ライン長のうち、少なくとも一つが調整されたラインイメージガイドを含んでよい。
【００３０】
そして、前記ベンディングインタラクションガイドは、前記ラインイメージガイドとともに表示される文字ガイド及び記号ガイドの少なくとも一方を更に含んでよい。
【００３１】
一方、本発明の一実施形態に係るディスプレイ装置の動作方法は、ベンディングインタラクションガイドの付加された客体をディスプレイするステップと、ベンディング可能なフレキシブル装置からベンディングに対応する制御信号を受信するステップと、前記制御信号に応じた制御動作を行うステップとを含む。ここで、前記ベンディングインタラクションガイドは、客体別に設定されたベンディングを視覚的に表現するガイドイメージであってよい。
【発明の効果】
【００３２】
以上説明したように、本発明によれば、ユーザはベンディングインタラクションガイドを通じてベンディング及びそれによって行われる動作について容易に知ることができるようになる。それにより、フレキシブル装置をより便利かつ効率良く使用することができるようになる。
【図面の簡単な説明】
【００３３】
【図１】本発明の一実施形態に係るフレキシブル装置の構成を示すブロック図である。
【図２】本発明の一実施形態に係るフレキシブルディスプレイ装置の構成を示すブロック図である。
【図３】図２のフレキシブルディスプレイ装置に備えられたディスプレイ部の細部構成を説明するための図である。
【図４】フレキシブル装置でベンディング状態を検知するための構造及びその検知方法に対する多様な実施形態を説明するための図である。
【図５】フレキシブル装置でベンディング状態を検知するための構造及びその検知方法に対する多様な実施形態を説明するための図である。
【図６】フレキシブル装置でベンディング状態を検知するための構造及びその検知方法に対する多様な実施形態を説明するための図である。
【図７】フレキシブル装置でベンディング状態を検知するための構造及びその検知方法に対する多様な実施形態を説明するための図である。
【図８】フレキシブル装置でベンディング状態を検知するための構造及びその検知方法に対する多様な実施形態を説明するための図である。
【図９】フレキシブル装置でベンディング状態を検知するための構造及びその検知方法に対する多様な実施形態を説明するための図である。
【図１０】フレキシブル装置でベンディング状態を検知するための構造及びその検知方法に対する多様な実施形態を説明するための図である。
【図１１】フレキシブル装置でベンディング状態を検知するための構造及びその検知方法に対する多様な実施形態を説明するための図である。
【図１２】フレキシブル装置でベンディング状態を検知するための構造及びその検知方法に対する多様な実施形態を説明するための図である。
【図１３】フレキシブル装置でベンディング状態を検知するための構造及びその検知方法に対する多様な実施形態を説明するための図である。
【図１４】フレキシブル装置でベンディング状態を検知するための構造及びその検知方法に対する多様な実施形態を説明するための図である。
【図１５】フレキシブル装置でベンディング状態を検知するための構造及びその検知方法に対する多様な実施形態を説明するための図である。
【図１６】フレキシブル装置でベンディング状態を検知するための構造及びその検知方法に対する多様な実施形態を説明するための図である。
【図１７】フレキシブル装置でベンディング状態を検知するための構造及びその検知方法に対する多様な実施形態を説明するための図である。
【図１８】フレキシブル装置でベンディング状態を検知するための構造及びその検知方法に対する多様な実施形態を説明するための図である。
【図１９】フレキシブル装置でベンディング状態を検知するための構造及びその検知方法に対する多様な実施形態を説明するための図である。
【図２０】フレキシブル装置でベンディング状態を検知するための構造及びその検知方法に対する多様な実施形態を説明するための図である。
【図２１】フレキシブル装置でベンディング状態を検知するための構造及びその検知方法に対する多様な実施形態を説明するための図である。
【図２２】フレキシブル装置でベンディング状態を検知するための構造及びその検知方法に対する多様な実施形態を説明するための図である。
【図２３】フレキシブル装置でベンディング状態を検知するための構造及びその検知方法に対する多様な実施形態を説明するための図である。
【図２４】フレキシブル装置でベンディング状態を検知するための構造及びその検知方法に対する多様な実施形態を説明するための図である。
【図２５】フレキシブル装置でベンディング状態を検知するための構造及びその検知方法に対する多様な実施形態を説明するための図である。
【図２６】フレキシブル装置でベンディング状態を検知するための構造及びその検知方法に対する多様な実施形態を説明するための図である。
【図２７】図２のフレキシブルディスプレイ装置で表示される画面の一例を示す図である。
【図２８】図２のフレキシブルディスプレイ装置で表示される画面の別の例を示す図である。
【図２９】画面転換過程におけるベンディングインタラクションガイド表示方法の一例を示す図である。
【図３０】画面転換過程におけるベンディングインタラクションガイド表示方法の別の例を示す図である。
【図３１】ベンディングインタラクションガイドに対する多様な例を示す図である。
【図３２】ベンディングインタラクションガイドに対する多様な例を示す図である。
【図３３】ベンディングインタラクションガイドに対する多様な例を示す図である。
【図３４】ベンディングインタラクションガイドに対する多様な例を示す図である。
【図３５】ベンディングインタラクションガイドに対する多様な例を示す図である。
【図３６】ベンディングインタラクションガイドに対する多様な例を示す図である。
【図３７】ベンディングインタラクションガイドに対する多様な例を示す図である。
【図３８】ベンディングインタラクションガイドに対する多様な例を示す図である。
【図３９】本発明の別の実施形態に係るディスプレイ装置の動作を制御するフレキシブル装置を説明するための図である。
【図４０】図３９の実施形態に係るフレキシブル装置の構成を示すブロック図である。
【図４１】本発明の多様な実施形態に係るフレキシブル装置の制御方法を説明するためのフローチャートである。
【図４２】本発明の多様な実施形態に係るフレキシブル装置の構成を示すブロック図である。
【図４３】図４２のフレキシブル装置において使用可能なソフトウェアの構成図である。
【図４４】フレキシブル装置の外観構成の一例を示す図である。
【図４５】フレキシブル装置に接続される電源部の形態の一例を示す図である。
【図４６】誤ったベンディングに対するフィードバック方法の一例を示す図である。
【図４７】ユーザ把持有無に応じてベンディングインタラクションガイドを表示する実施形態に係るディスプレイ画面の一例を示す図である。
【発明を実施するための形態】
【００３４】
以下に添付図面を参照しながら、本発明の好適な実施形態について詳細に説明する。
【００３５】
図１は、本発明の一実施形態に係るフレキシブル装置の構成を示すブロック図である。図１のフレキシブル装置１００は、外部から力が加えられると、その力の大きさ及び方向に応じて曲げられる特性を保持する。
【００３６】
図１によると、フレキシブル装置１００は、検知部１１０及び制御部１２０を含む。検知部１１０は、フレキシブル装置１００を曲げさせるベンディングを検知する。ベンディングとは、フレキシブル装置１００の本体を特定の形に曲げさせるユーザの行為またはその形を意味する。
【００３７】
制御部１２０は、予め設定されたベンディングが検知されると、ベンディングに対応する制御動作を行う。制御動作は、フレキシブル装置１００の種類及び特性に応じて多様に定められてよい。仮に、フレキシブル装置１００がディスプレイ部（図示せず）を備えたフレキシブルディスプレイ装置である場合、制御部１２０は、ターンオン動作に対応するベンディングが検知されると、フレキシブル装置１００をターンオンさせる制御動作を行う。一方、フレキシブル装置１００が外部ディスプレイ装置を制御するためのリモコンで実現された場合であれば、ターンオン動作に対応するベンディングが検知されると、制御部１２０は外部ディスプレイ装置をターンオンさせるための制御信号を生成して外部ディスプレイ装置に伝送する。
【００３８】
制御部１２０は、ベンディングを表現するためのベンディングインタラクションガイドを提供する。ベンディングインタラクションガイドとは、フレキシブル装置１００をどのような形にベンディングさせられるかを直観的に知ることができるように表示するための視覚的なガイドイメージを意味する。ベンディングインタラクションガイドは、画面上にディスプレイされる客体に重畳されて表示されてよい。具体的には、アプリケーションアイコンや、メニュー、各種ボタン等のように画面上に表示される各種客体の上にベンディングインタラクションガイドがマッピングされてディスプレイされてよい。
【００３９】
上述のように、フレキシブル装置１００は、ディスプレイ部を備えたフレキシブルディスプレイ装置で実現されてよく、外部ディスプレイ装置と接続された単純フレキシブル装置で実現されてよい。外部ディスプレイ装置と接続された装置で実現された場合には、ベンディングインタラクションガイドは、外部ディスプレイ装置の画面上で客体とともにディスプレイされてよい。それについては、明細書の後半で具体的に説明し、以下では先にフレキシブルディスプレイ装置で実現された場合について具体的に説明する。
【００４０】
図２は、本発明の一実施形態に係るフレキシブルディスプレイ装置の構成を示すブロック図である。フレキシブルディスプレイ装置は、他のディスプレイ装置がもつディスプレイ特性をそのまま保持しつつ、紙のように曲げられたり、折られたり、または巻ける装置を意味する。
【００４１】
図２による、フレキシブルディスプレイ装置１００は、検知部１１０と、制御部１２０と、グラフィック処理部１３０と、保存部１４０及びディスプレイ部１５０を含む。
【００４２】
検知部１１０は、フレキシブルディスプレイ装置を曲げるベンディングを検知するための構成である。ベンディングとしては、曲げてから広げるベンディングアンドフラット（ｂｅｎｄｉｎｇ  ＆  ｆｌａｔ）、曲げた状態で保持するベンディングアンドホールド（ｂｅｎｄｉｎｇ  ＆  ｈｏｌｄ）、フレキシブルディスプレイ装置をひねるツイスト（ｔｗｉｓｔ）、装置が折られるフォールディング（ｆｏｌｄｉｎｇ）、片方向に巻くローリング（ｒｏｌｌｉｎｇ）、片手で把持した状態で振るシェイキング（ｓｈａｋｉｎｇ）、両手で把持した状態で振るスイング（ｓｗｉｎｇ）等があってよい。検知部１１０は、フレキシブルディスプレイ装置１００の全面（ｏｖｅｒａｌｌ  ａｒｅａ）に配置された各種センサを用いてベンディングを検知することができる。具体的な検知方法について後述する。
【００４３】
制御部１２０は、検知部１１０によってベンディングが検知されると、予め設定された形のベンディングかを判断する。予め設定された形のベンディングであると、制御部１２０はそのベンディングに対応する制御動作を行う。
【００４４】
保存部１４０は、ベンディングに対する情報及びそのベンディングに対応する制御動作に対する情報が保存されていてよい。制御部１２０は、保存部１４０に保存された情報に基づいて制御動作を行ってよい。
【００４５】
グラフィック処理部１３０は、ベンディングインタラクションガイドがそれぞれ付加された少なくとも一つの客体を含む画面を構成する。ここで、客体とは、アプリケーションアイコンだけでなく、メニューやボタン等のような多様な類型で実現されてよい。
【００４６】
グラフィック処理部１３０は、客体の種類に応じてベンディングインタラクションガイドの表示状態値を算出する。表示状態値とは、ベンディングインタラクションガイドが表示される位置、形、サイズ、カラー等のような多様な属性値であってよい。グラフィック処理部１３０は、表示状態値が計算されると、その値に基づいてレンダリングを行い、ベンディングインタラクションガイドを生成する。
【００４７】
ベンディングインタラクションガイドは、各客体別に一意的に定められたり、画面上の表示位置別に一意的に定められてよい。客体及びベンディングインタラクションガイドの表示方法及び種類については、詳細に後述する。
【００４８】
ディスプレイ部１５０は、グラフィック処理部１３０で構成した画面をディスプレイする。ディスプレイ部１５０は、フレキシブルディスプレイ装置の前面（ｆｒｏｎｔ ｓｕｒｆａｃｅ）に配置され、各種画面をディスプレイすることができる。ディスプレイ部１５０は、フレキシブル特性の材質で構成され、自由自在に変形されてよい。
【００４９】
図３は、ディスプレイ部１５０の構成の一例を説明するための図である。
【００５０】
図３によると、ディスプレイ部１５０は、基板１５１と、駆動部１５２と、ディスプレイパネル１５３及び保護層１５４を含む。
【００５１】
基板１５１は、外部からの圧力によって変形されるプラスチック基板（例えば、高分子フィルム）で実現されてよい。プラスチック基板は、基礎素材（ｂａｓｅ  ｆｉｌｍ）にバリアコーティング（ｂａｒｒｉｅｒ  ｃｏａｔｉｎｇ）が両面で施された構造を有する。基礎素材の場合、ＰＩ（Ｐｏｌｙｉｍｉｄｅ）、ＰＣ（Ｐｏｌｙｃａｒｂｏｎｉｔｅ）、ＰＥＴ（Ｐｏｌｙｅｔｈｙｌｅｎｅｔｅｒｅｐｈｔａｌａｔｅ）、ＰＥＳ（Ｐｏｌｙｅｔｈｅｒｓｕｌｆｏｎｅ）、ＰＥＮ（Ｐｏｌｙｔｈｙｌｅｎｅｎａｐｈｔｈａｌａｔｅ）、ＦＲＰ（Ｆｉｂｅｒ  Ｒｅｉｎｆｏｒｃｅｄ  Ｐｌａｓｔｉｃ）等の多様な樹脂で実現されてよい。そして、バリアコーティングは、基礎素材で対向する面に施され、柔軟性を保持するために有機膜または無機膜が利用されてよい。
【００５２】
一方、基板１５１は、プラスチック基板の他にも、ガラス薄膜（ｔｈｉｎ  ｇｌａｓｓ）または金属薄膜（ｍｅｔａｌ  ｆｏｉｌ）等のように、フレキシブルな特性を有する素材が使用されてよい。
【００５３】
駆動部１５２は、ディスプレイパネル１５３を駆動させる機能を具備する。具体的に、駆動部１５２は、ディスプレイパネル１５３を構成する複数の画素に駆動電圧を印加し、ａ−ｓｉ、ＴＦＴ、ＬＴＰＳ（Ｌｏｗ  Ｔｅｍｐｅｒａｔｕｒｅ  Ｐｏｌｙ  Ｓｉｌｉｃｏｎ）  ＴＦＴ、ＯＴＦＴ（Ｏｒｇａｎｉｃ  ＴＦＴ）等で実現されてよい。駆動部１５２は、ディスプレイパネル１５３の実現形態に応じて多様な形態で実現されてよい。一例として、ディスプレイパネル１５３は、複数の画素セルからなる有機発光体及びその有機発光体の両面を覆う電極層からなってよい。この場合、駆動部１５２は、ディスプレイパネル１５３の各画素セルに対応する複数のトランジスタを含んでよい。制御部１２０は、各トランジスタのゲートに電気信号を印加し、トランジスタに接続された画素セルを発光させる。それにより、映像が表示されることができる。
【００５４】
または、ディスプレイパネル１５３は、有機発光ダイオードの他にも、ＥＬ、ＥＰＤ（Ｅｌｅｃｔｒｏｐｈｏｒｅｔｉｃ  Ｄｉｓｐｌａｙ）、ＥＣＤ（Ｅｌｅｃｔｒｏｃｈｒｏｍｉｃ  Ｄｉｓｐｌａｙ）、ＬＣＤ（Ｌｉｑｕｉｄ  Ｃｒｙｓｔａｌ  Ｄｉｓｐｌａｙ）、ＡＭＬＣＤ、ＰＤＰ（Ｐｌａｓｍａ  Ｄｉｓｐｌａｙ  Ｐａｎｅｌ）等で実現されてよい。ただ、ＬＣＤの場合、自ら発光することができないことから、別途のバックライトが求められる。バックライトが使用されないＬＣＤの場合には、周辺の光を利用する。よって、バックライト無しにＬＣＤディスプレイパネル１５３を使用するためには、光量の多い屋外環境のような条件が満たされなければならない。
【００５５】
保護層１５４は、ディスプレイパネル１５３を保護する機能を具備する。例えば、保護層１５４には、ＺｒＯ、ＣｅＯ２、Ｔｈ  Ｏ２等の材料が利用されてよい。保護層１５４は、透明なフィルム状に製作され、ディスプレイパネル１５３の表面全体を覆うことができる。
【００５６】
または、図３に示す例と違って、ディスプレイ部１５０は、電子ペーパーで実現されてよい。電子ペーパーは、紙に一般的なインクの特徴を適用したディスプレイとして、反射光を使用することが一般平板ディスプレイとは異なる点である。一方、電子ペーパーは、ツイストボールを利用したり、カプセルを利用した電気泳動を用いて絵または文字を変更することができる。
【００５７】
一方、ディスプレイ部１５０は、ベンディングが可能でありつつ、透明な性質を有するディスプレイ装置で実現されてよい。仮に、基板１５１は、透明な性質を有するプラスチックのようなポリマー材料で実現され、駆動部１５２が透明トランジスタで実現され、ディスプレイパネル１５３が透明有機発光層及び透明電極で実現される場合には、透明性を有してよい。透明トランジスタとは、既存の薄膜トランジスタの不透明なシリコンを透明な亜鉛酸化物、酸化チタニウム等のように、透明物質に代替して製作したトランジスタを意味する。なお、透明電極は、ＩＴＯ（Ｉｎｄｉｕｍ  Ｔｉｎ  Ｏｘｉｄｅ）やグラフェンのような新素材が使用されてよい。グラフェンとは、炭素原子が互いに連結され、蜂の巣模様の平面構造をなしつつ、透明な材質を有する物質を意味する。その他に、透明有機発光層も多様な材料で実現されてよい。
【００５８】
以上のように、ディスプレイ部１５０は、多様な形態で実現されてよい。検知部１１０は、ディスプレイ部１５０の周縁や下部等に配置され、ディスプレイ部１５０を含むフレキシブルディスプレイ装置全体のベンディング状態を検知することができる。以下では、検知部１１０でベンディング状態を検知する方法について具体的に説明する。
【００５９】
＜フレキシブルディスプレイ装置におけるベンディング検知方法に対する多様な例＞
【００６０】
図４ないし図６は、本発明の一実施形態に係るフレキシブルディスプレイ装置において形の変形、すなわち、ベンディングを検知する方法の一例を説明するための図である。
【００６１】
フレキシブルディスプレイ装置１００は、外部圧力によってベンディングされ、その形が変形されてよい。ベンディングには、一般のベンディング、フォールディング、ローリング、特殊ベンディング等があってよい。一般のベンディング（ｎｏｒｍａｌ  ｂｅｎｄｉｎｇ）とは、フレキシブルディスプレイ装置が曲げられた状態を意味する。具体的には、ベンディングアンドフラットやベンディングアンドホールド等が一般のベンディングに含まれてよい。
【００６２】
フォールディング（Ｆｏｌｄｉｎｇ）は、フレキシブルディスプレイ装置が折られる状態を意味する。ここで、フォールディング及び一般ベンディングは、ベンディングされる程度に応じて区分されてよい。仮に、一定のベンディング角度以上にベンディングが行われると、フォールディングされた状態と定義し、そのベンディング角度未満でベンディングが行われた場合には、一般ベンディングと定義してよい。
【００６３】
ローリング（Ｒｏｌｌｉｎｇ）は、フレキシブルディスプレイ装置が巻かれた状態を意味する。ローリングもベンディング角度を基準に判断されてよい。仮に、一定のベンディング角度以上のベンディングが一定領域に亘って検知される状態をローリングと定義することができる。一方、一定のベンディング角度未満のベンディングがローリングに比べて相対的に小さい領域で検知される状態をフォールディングと定義してよい。
【００６４】
上述の一般ベンディング、フォールディング、ローリング等は、ベンディング角度以外に曲率半径に基づいて判定されてよい。
【００６５】
なお、曲率半径に関係なく、フレキシブルディスプレイ装置１００が巻かれた断面が実質的に（Ｓｕｂｓｔａｎｔｉａｌｌｙ）円や楕円に近い形状を有する状態をローリングと定義してよい。
【００６６】
その他に、特殊ベンディングとは、その他の多様な形のベンディング、仮に、ツイスト（ｔｗｉｓｔ）や、シェイキング（ｓｈａｋｉｎｇ）や、スイング（ｓｗｉｎｇ）等を意味してよい。特殊ベンディングは、ベンディング角度やベンディング領域の数、ベンディング領域の分布図、曲率半径等に基づいて判断されてよい。
【００６７】
ただ、以上のような多様な形の変形例に対する定義は、一例に過ぎず、フレキシブルディスプレイ装置の種類や大きさ、重さ、特徴等に応じて異なるように定義されてよい。仮に、フレキシブルディスプレイ装置１００の表面が相接する程度にベンディングが可能であれば、フォールディングは、ベンディングと同時に装置表面が互いに接触する状態に定義されてよい。一方、ローリングは、ベンディングによってフレキシブルディスプレイ装置の前面と背面とが互いに接触する状態に定義されてよい。
【００６８】
説明の便宜上、本明細書は、このような多様な形のベンディング及びその他のベンディングの形を、まとめてベンディングと称してよい。
【００６９】
フレキシブルディスプレイ装置１００は、多様な方式でベンディングを検知することができる。
【００７０】
一例として、検知部１１０は、ディスプレイ部１５０の前面や背面のような一つの表面に配置されたベンドセンサ（ｂｅｎｄ  ｓｅｎｓｏｒ）、または両面双方に配置されたベンドセンサを含んでよい。制御部１２０は、検知部１１０のベンドセンサでセンシングされた値を用いてベンディングを検知することができる。
【００７１】
ここで、ベンドセンサとは、そのもので曲げられてよく、曲げられた具合に応じて抵抗値が異なるという特性をもつセンサを意味する。ベンドセンサとは、光ファイバベンディングセンサや、圧力センサ、ストレインゲージ（ｓｔｒａｉｎ  ｇａｕｇｅ）等のように多様な形態で実現されてよい。
【００７２】
検知部１１０は、ベンドセンサに印加される電圧の大きさまたはベンドセンサを流れる電流の大きさを用いてベンドセンサの抵抗値を検知し、その抵抗値の大きさに応じて当該ベンドセンサの位置におけるベンディング状態を検知することができる。
【００７３】
図４では、ベンドセンサがディスプレイ部１５０の前面に内蔵された状態を示しているが、それは一例に過ぎず、ベンドセンサはディスプレイ部１５０の背面に内蔵されてよく、両面いずれにも内蔵されてよい。なお、ベンドセンサの形態、数及び配置位置も多様に変更されてよい。例えば、ディスプレイ部１５０には、一つのベンドセンサまたは複数のベンドセンサが組み合わせられてよい。ここで、一つのベンドセンサは、一つのベンディングデータを検知するものであってよいが、一つのベンドセンサが複数のベンディングデータを検知する複数のセンシングチャネルを有するものであってよい。
【００７４】
図４においては、複数個のバー状のベンドセンサが横方向及び縦方向に配置されて格子形態をなす例を示している。
【００７５】
図４に示すように、ベンドセンサは第１方向に並んでいるベンドセンサ２１−１ないし２１−５及び第１方向に垂直の第２方向に並んでいるベンドセンサ２２−１ないし２２−５を含む。各ベンドセンサは、互いに一定間隔だけ離隔配置されてよい。
【００７６】
図４においては、横及び縦方向の各々に、５つずつベンドセンサ２１−１ないし２１−５、２２−１ないし２２−５が配置されるものとして示しているが、それは一例に過ぎず、勿論、フレキシブルディスプレイ装置の大きさ等に応じてベンドセンサの個数は変更されてよい。このように、ベンドセンサが横及び縦方向に配置されるのは、フレキシブルディスプレイ装置の全域において行われるベンディングを検知するためのであるため、一部分のみがフレキシブルな特性を有したり、一部分に対してのみベンディングを検知する必要のある装置である場合には、当該部分にのみベンドセンサが配置されてよい。
【００７７】
各ベンドセンサ２１−１ないし２１−５、２２−１ないし２２−５は、電気抵抗を利用する電気抵抗式センサまたは光ファイバの変形率を利用するマイクロ光ファイバセンサ形態で実現されてよい。以下においては、説明の便宜のために、ベンドセンサが電気抵抗式センサで実現される場合を想定して説明する。
【００７８】
具体的に、図５のように、フレキシブルディスプレイ装置１００の左右両側の周縁を基準に、その中央に位置した中央領域が下方を向くようにベンディングされた場合、ベンディングによる張力が、横方向に配置されたベンドセンサ２１−１ないし２１−５にかかる。それにより、横方向に配置された各ベンドセンサ２１−１ないし２１−５の抵抗値が異なるようになる。検知部１１０は、各ベンドセンサ２１−１ないし２１−５から出力される出力値の変化を検知し、ディスプレイ表面の中央を基準に、横方向にベンディングが行われたことを検知することができる。図５においては、中央領域がディスプレイ表面を基準に垂直の下方（以下では、Ｚ−方向という）にベンディングされた状態を示しているが、ディスプレイ表面を基準に垂直の上方（以下では、Ｚ＋方向という）にベンディングされた場合にも、横方向のベンドセンサ２１−１ないし２１−５の出力値の変化に基づいて検知することができる。
【００７９】
なお、図６のように、フレキシブルディスプレイ装置１００の形が上下側の周縁を基準に、その中央に位置した中央領域が上方を向くようにベンディングされた場合、張力が縦方向に配置されたベンドセンサ２２−１ないし２２−５にかかるようになる。検知部１１０は、縦方向に配置されたベンドセンサ２２−１ないし２２−５の出力値に基づいて縦方向の形の変形を検知することができる。図６においては、Ｚ＋方向の変形を示しているが、Ｚ−方向の変形も縦方向に配置されたベンドセンサ２２−１ないし２２−５を用いて検知することができる。
【００８０】
一方、対角線方向の形の変形である場合、張力は横及び縦方向に配置されたベンドセンサのいずれにもかかるため、横及び縦方向に配置されたベンドセンサの出力値に基づいて対角線方向の形の変形も検知することができる。
【００８１】
以下では、ベンドセンサを用いて一般ベンディング、フォールディング及びローリング等の各変形の形態を検知する具体的な方法について説明する。
【００８２】
図７ないし図９は、本発明の一実施形態において、ベンドセンサを用いてフレキシブルディスプレイ装置からベンディングを検知する方法を説明するための図である。
【００８３】
まず、図７は、フレキシブルディスプレイ装置がベンディングされたとき、フレキシブルディスプレイ装置１００の断面図を示す。
【００８４】
フレキシブルディスプレイ装置１００がベンディングされると、フレキシブルディスプレイ装置の片面または両面に配置されたベンドセンサも同時に曲がり、かかる張力の強度に対応する抵抗値を有し、それに対応する出力値を出力する。
【００８５】
例えば、図７のように、フレキシブルディスプレイ装置１００がベンディングされると、フレキシブルディスプレイ装置１００の背面に配置されたベンドセンサ３１−１も曲がり、かかる張力の大きさによる抵抗値を出力する。
【００８６】
この場合、張力の強度は、ベンディングの具合に比例して大きくなる。仮に、図７のようにベンディングが行われると、中央領域のベンディングの度合いが最も大きくなる。よって、中央領域であるａ３地点に配置されたベンドセンサ３１−１に最も大きい張力がかかるようになり、それにより、ベンドセンサ３１−１が最も大きい抵抗力を有するようになる。一方、外方向に進むほど、ベンディングの度合いが弱くなる。それにより、ベンドセンサ３１−１は、ａ３地点を基準としてａ２、ａ１地点に近づくほど、またはａ４、ａ５地点に近づくａ３地点より小さい抵抗値を有するようになる。
【００８７】
検知部１１０は、ベンドセンサから出力される抵抗値が特定地点で最大値をもって、両方向に進むほど出力される抵抗値が次第に小さくなると、最大の抵抗値が検出された領域が最も大きいベンディングが行われた領域と判断することができる。なお、検知部１１０は、抵抗値が変わらない領域は、ベンディングが行われていないフラット（ｆｌａｔ）領域と判断し、抵抗値が一定の大きさ以上変化した領域は、ベンディングが少しでも行われたベンディング領域と判断することができる。
【００８８】
図８及び図９は、本発明の一実施形態において、ベンディング領域を定義する方法を説明するための図である。図８及び図９の場合、フレキシブルディスプレイ装置が前面を基準に横方向にベンディングされた場合を説明するための図であるため、説明の便宜上、縦方向に配置されるベンドセンサは図示していない。なお、説明の便宜上、各ベンドセンサに対する図面における符号は、図面ごとに異なるように付しているが、実際には、図４に示す構造と同様のベンドセンサがそのまま利用されてよい。
【００８９】
ベンディング領域は、フレキシブルディスプレイ装置が曲がっている領域を意味する。ベンディングによってベンドセンサが同時に曲がるようになるため、ベンディング領域は、元の状態とは異なる抵抗値を出力するベンドセンサが配置された全地点に定義されてよい。
【００９０】
検知部１１０は、抵抗値変化が検知された地点との関係に基づいて、ベンディングラインの大きさ、ベンディングラインの方向、ベンディングラインの位置、ベンディングラインの数、ベンディングの回数、形が変化するベンディング速度、ベンディング領域の大きさ、ベンディング領域の位置、ベンディング領域の数等を検知することができる。
【００９１】
具体的に、抵抗値変化が検知された地点の間の距離が予め設定された距離内であれば、抵抗値を出力する地点を一つのベンディング領域と検知する。一方、抵抗値変化が検知された地点のうち、その間の距離が予め設定された距離以上に離隔している地点が存在すると、これらの地点を基準に互いに異なるベンディング領域に区分して定義することができる。より具体的な説明のために、図８及び図９を参照する。
【００９２】
図８は、一つのベンディング領域を検知する方法を説明するための図である。図８でのように、フレキシブルディスプレイ装置１００がベンディングされると、ベンドセンサ３１−１のａ１地点からａ５地点まで、ベンドセンサ３１−２のｂ１地点からｂ５地点まで、ベンドセンサ３１−３のｃ１地点からｃ５地点まで、ベンドセンサ３１−４のｄ１地点からｄ５地点まで、ベンドセンサ３１−５のｅ１地点からｅ５地点まで、元の状態とは異なる抵抗値を有するようになる。
【００９３】
この場合、各ベンドセンサ３１−１ないし３１−５において、抵抗値変化が検知された地点は、互いに予め設定された距離内に位置して連続して配置される。
【００９４】
よって、検知部１１０は、ベンドセンサ３１−１でａ１地点からａ５地点まで、ベンドセンサ３１−２でｂ１地点からｂ５地点まで、ベンドセンサ３１−３でｃ１地点からｃ５地点まで、ベンドセンサ３１−４でｄ１地点からｄ５地点まで、ベンドセンサ３１−５でｅ１地点からｅ５地点までの全てを含む領域３２を一つのベンディング領域と検知する。
【００９５】
図９は、複数のベンディング領域を検知する方法を説明するための図である。
【００９６】
図９においては、フレキシブルディスプレイ装置のベンディングに応じて、ベンドセンサ３１−１のａ１地点からａ２地点まで、及びａ４地点からａ５地点まで、ベンドセンサ３１−２のｂ１地点からｂ２地点まで、及びｂ４地点からｂ５地点まで、ベンドセンサ３１−３のｃ１地点からｃ２地点まで、及びｃ４地点からｃ５地点まで、ベンドセンサ３１−４のｄ１地点からｄ２地点まで、及びｄ４地点からｄ５地点まで、ベンドセンサ３１−５のｅ１地点からｅ２地点まで、及びｅ４地点からｅ５地点まで、元の状態とは異なる抵抗値を有するようになる。
【００９７】
ベンドセンサ３１−１で、ａ１地点からａ２地点まで、及びａ４地点からａ５地点までは、各地点を基準にしてみると各々連続するが、ａ２地点及びａ４地点の間にはａ３地点が存在するため、ａ２地点からａ４地点までは連続的ではない。よって、ａ２地点からａ４地点までの間の距離が予め設定された距離だけ離隔していることから考えると、ａ１地点からａ２地点までと、ａ４地点からａ５地点までとは、互いに異なるベンディング領域に区分されてよい。なお、他のベンドセンサ３１−２ないし３１−５の各地点も、これと同様に区分されてよい。
【００９８】
よって、フレキシブルディスプレイ装置１００は、ベンドセンサ３１−１でａ１地点からａ２地点まで、ベンドセンサ３１−２でｂ１地点からｂ２地点まで、ベンドセンサ３１−３でｃ１地点からｃ２地点まで、ベンドセンサ３１−４でｄ１地点からｄ２地点まで、ベンドセンサ３１−５でｅ１地点からｅ２地点までのすべてを含む領域３４を一つのベンディング領域と定義し、ベンドセンサ３１−１でａ４地点からａ５地点まで、ベンドセンサ３１−２でｂ４地点からｂ５地点まで、ベンドセンサ３１−３でｃ４地点からｃ５地点まで、ベンドセンサ３１−４でｄ４地点からｄ５地点まで、ベンドセンサ３１−５でｅ４地点からｅ５地点までのすべてを含む領域３５をもう一つのベンディング領域と定義してよい。
【００９９】
一方、ベンディング領域は、ベンディングラインを含んでよい。ベンディングラインとは、各ベンディング領域から最も大きい抵抗値が検出された地点を連結するラインと定義されてよい。
【０１００】
仮に、図８の場合、ベンディング領域３３から最も大きい抵抗値を出力するａ３地点、ベンドセンサ３１−２から最も大きい抵抗値を出力するｂ３地点、ベンドセンサ３１−３から最も大きい抵抗値を出力するｃ３地点、ベンドセンサ３１−４から最も大きい抵抗値を出力するｄ３地点、ベンドセンサ３１−５から最も大きい抵抗値を出力するｅ３地点を連結するライン３３をベンディングラインと定義してよい。図８においては、ベンディングラインがディスプレイ表面の中央領域で縦方向に形成された状態を示す。
【０１０１】
なお、図９の場合、ベンディング領域３４から最も大きい抵抗値を出力するａ１地点、ベンドセンサ３１−２から最も大きい抵抗値を出力するｂ１地点、ベンドセンサ３１−３から最も大きい抵抗値を出力するｃ１地点、ベンドセンサ３１−４から最も大きい抵抗値を出力するｄ１地点、ベンドセンサ３１−５から最も大きい抵抗値を出力するｅ１地点を連結するライン３６を、一つのベンディングラインとしてよい。なお、ベンディング領域３５から最も大きい抵抗値を出力するａ５地点、ベンドセンサ３１−２から最も大きい抵抗値を出力するｂ５地点、ベンドセンサ３１−３から最も大きい抵抗値を出力するｃ５地点、ベンドセンサ３１−４から最も大きい抵抗値を出力するｄ５地点、ベンドセンサ３１−５から最も大きい抵抗値を出力するｅ５地点を連結するライン３６を、もう一つのベンディングラインとしてよい。すなわち、図９においては、ディスプレイ表面の左右側の周縁付近で二つの縦方向ベンディングラインが形成された状態を示す。
【０１０２】
図１０及び図１１は、フレキシブルディスプレイ装置が、フォールディング（ｆｏｌｄｉｎｇ）された状態を検知する方法の一例を説明するための図である。
【０１０３】
まず、図１０は、フレキシブルディスプレイ装置１００がフォールディングされた際の断面図を示す。
【０１０４】
フレキシブルディスプレイ装置がフォールディングされると、フレキシブルディスプレイ装置の片面または両面に配置されたベンドセンサも同時に曲がり、かかる張力の強度に対応する抵抗値を有するようになる。
【０１０５】
例えば、図１０のように、フレキシブルディスプレイ装置１００の右側の周縁領域が中央に向かう形でフォールディングされると、フレキシブルディスプレイ装置１００の背面に配置されたベンドセンサ１４−１もフォールディングされ、かかる張力の強度による抵抗値を出力する。
【０１０６】
すなわち、ベンディングされた場合と同様に、ベンドセンサ４１−１にかかる張力の強度が最も強いａ３地点で最も大きい抵抗値を有するようになり、両側方向に進むほど少ない抵抗値を有するようになる。すなわち、ベンドセンサ４１−１はａ３地点を基準に、ａ２、ａ１地点に進むほど、または、ａ４、ａ５地点に進むほど、ａ３地点より小さい抵抗値を有するようになる。
【０１０７】
一方、フレキシブルディスプレイ装置が一定のベンディング角度以上でベンディングされるフォールディングが行われると、ベンディングラインに該当する地点では、抵抗値が一定の大きさ以上の大きさでセンシングされる。よって、制御部１２０は、抵抗値の大きさに応じてフォールディングか、一般ベンディングかを判断することができる。
【０１０８】
または、フレキシブルディスプレイ装置１００の表面が互いに相接する程度にベンディングが可能であれば、制御部１２０は、タッチが行われるかまでを考慮し、フォールディングかを判断することもできる。すなわち、図１０のように、フレキシブルディスプレイ装置１００の右側の周縁がＺ＋方向にベンディングされて前方にフォールディングされると、フレキシブルディスプレイ装置１００の前面で互いに離隔している領域が接触するようになる。この場合、ディスプレイ表面の一領域からタッチが検知され、抵抗値の変化程度も一般ベンディングの場合より更に大きくなる。それにより、制御部１２０は、ベンディングが行われた周縁の境界からベンディングラインまでの距離を算出した後、ベンディングラインを基準に反対方向に算出された距離だけ離隔している地点からタッチが検知されると、フォールディングが行われたと判断することができる。
【０１０９】
図１１は、本発明の一実施形態において、フォールディング領域を判断する方法を説明するための図である。図１１の場合、フレキシブルディスプレイ装置が前面を基準に横方向にフォールディングされた場合を説明するための図であるため、説明の便宜上、縦方向に配置されるベンドセンサは示していない。
【０１１０】
フォールディング領域は、フレキシブルディスプレイ装置がフォールディングされることにより形成される曲がっている領域として、ベンディングの場合のように、ベンドセンサが曲がることにより元の状態とは異なる抵抗値を出力するベンドセンサの全地点を含む一つまたは二つ以上の領域に定義されてよい。フォールディング領域を定義及び区分する方式は、ベンディング領域の場合と同様であることから、繰り返し説明は省略する。
【０１１１】
図１１を参照すると、出力される抵抗値が元の状態とは異なる地点、すなわち、ベンディングセンサ４１−１でａ１地点からａ５地点まで、ベンディングセンサ４１−２でｂ１地点からｂ５地点まで、ベンディングセンサ４１−３でｃ１地点からｃ５地点まで、ベンディングセンサ４１−４でｄ１地点からｄ５地点まで、ベンディングセンサ４１−５でｅ１地点からｅ５地点までの全てを含む領域４２を一つのフォールディング領域と定義してよい。
【０１１２】
フォールディング領域は、フォールディングラインを基準に二つに区分される。フォールディングラインは、各フォールディング領域から最も大きい抵抗値を出力する地点を連結するラインと定義されてよい。フォールディングラインは、ベンディングラインと同様の意味で使用されてよい。
【０１１３】
図１１の場合、フォールディング領域４２において、ベンドセンサ４１−２から最も大きい抵抗値を出力するａ３地点、ベンドセンサ４１−２から最も大きい抵抗値を出力するｂ３地点、ベンドセンサ４１−３から最も大きい抵抗値を出力するｃ３地点、ベンドセンサ４１−４から最も大きい抵抗値を出力するｄ３地点、ベンドセンサ４１−５から最も大きい抵抗値を出力するｅ３地点を連結するライン４３がフォールディングラインとなる。
【０１１４】
フォールディングが検知された場合、制御部１２０は一般ベンディング時の動作と異なる動作を行うことができる。仮に、各フォールディング領域に対して互いに異なるコンテンツ画面をディスプレイする等の動作を行うことができる。
【０１１５】
一方、上述のように、フレキシブルディスプレイ装置１００は、紙のようにローリングされてよい。制御部１２０は、検知部１１０から検知された結果を用いてローリングが行われたかを判断することができる。
【０１１６】
図１２ないし図１４は、フレキシブルディスプレイ装置がローリングを検知する方法を説明するための図である。
【０１１７】
まず、図１２は、フレキシブルディスプレイ装置１００がローリングされた際の断面図を示す。
【０１１８】
上述のように、フレキシブルディスプレイ装置１００がローリングされると、フレキシブルディスプレイ装置の片面または両面に配置されたベンドセンサに張力が働く。
【０１１９】
この場合、ベンドセンサにかかる張力の強度は、一定の範囲内で互いに近似していると見なすことができるため、ベンドセンサから出力される抵抗値も一定の範囲内で互いに近似するようになる。
【０１２０】
ローリングが行われるためには、ベンディングが一定の曲率以上で行わなければならない。なお、ローリングが行われると、一般ベンディングやフォールディングの場合より、ベンディング領域が更に大きく形成される。それにより、制御部１２０は、一定のベンディング角度以上のベンディングが一定の大きさ以上の領域で連続的に行われたと検知されると、ローリング状態と判断することができる。
【０１２１】
なお、ローリング状態では、フレキシブルディスプレイ装置の前面と背面が互いに接触するようになる。例えば、図１２のように、ディスプレイ部１５０の片側の周縁がＺ＋方向にベンディングされてディスプレイ表面の内側にローリングされると、ディスプレイ表面、すなわち、前面とベンドセンサ５０−１が配置された背面とは互いに接触するようになる。
【０１２２】
よって、上述のような別の例では、制御部１２０は、フレキシブルディスプレイ装置の前面及び背面が互いに接触するか否かに応じて、ローリング状態かを判断することもできる。この場合、検知部１１０は、タッチセンサを具備することができる。制御部１２０は、ベンドセンサから出力される抵抗値が一定範囲内で互いに近似していて、フレキシブルディスプレイ装置の前面及び背面に配置されたタッチセンサから各々タッチが検知されると、フレキシブルディスプレイ装置がローリングされたものと判断されてよい。なお、制御部１２０は、タッチセンサの代わりにマグネチックと磁場センサ、光センサまたは近接センサ等を用いてフレキシブルディスプレイ装置が曲がり、フレキシブルディスプレイ装置の一部領域の間の接触または近接しているか否かを判断することもできる。
【０１２３】
図１３及び図１４は、本発明の一実施形態においてローリング領域を定義する方法を説明するための図である。
【０１２４】
ローリング領域は、フレキシブルディスプレイ装置がベンディングされ、ローリング状態となる領域全体を意味する。ローリング領域も、一般ベンディング及びフォールディングの場合のように、元の状態とは異なる抵抗値を出力するベンドセンサの全地点を含む一つまたは二つ以上の領域と定義されてよい。ローリング領域を定義及び区分する方式は、ベンディング及びフォールディング領域と同様であることから、繰り返し説明は省略する。
【０１２５】
図１３のように、フレキシブルディスプレイ装置１００が全体的にローリングされると、フレキシブルディスプレイ装置の全領域５１がローリング領域と定義されてよく、図１４のように、フレキシブルディスプレイ装置１００が部分的にローリングされ、元の状態とは異なる抵抗値を出力する地点が予め設定された距離だけ離隔している場合であれば、フレキシブルディスプレイ装置の一部領域５２、５３が互いに異なるローリング領域として定義されてよい。
【０１２６】
以上のように、フレキシブルディスプレイ装置１００は、多様な形でベンディングされてよく、制御部１２０は、検知部１１０の検知結果に基づいて各ベンディングタイプを検知することができる。なお、制御部１２０は、検知部１１０の検知結果に基づいてベンディングがどのくらい行われたか、すなわち、ベンディングの角度も検出することができる。
【０１２７】
図１５及び図１６は、ベンディングの度合いを判断する方法を説明するための図である。
【０１２８】
図１５及び図１６によると、フレキシブルディスプレイ装置１００は、ベンドセンサから一定間隔おきに出力される抵抗値の大きさの変化を用いて、フレキシブルディスプレイ装置がベンディングされた度合いを判断する。
【０１２９】
具体的に、制御部１２０は、ベンドセンサから最も大きい抵抗値を出力する地点の抵抗値と、その地点から所定距離だけ離隔している地点から出力された抵抗値との間の差を算出する。
【０１３０】
そして、制御部１２０は、算出された抵抗値の差を用いてベンディングされた度合いを判断することができる。具体的に、フレキシブルディスプレイ装置１００は、ベンディングされた度合いを複数のレベルで区分し、各レベルごとに一定の範囲を有する抵抗値をマッチさせて保存することができる。
【０１３１】
それにより、フレキシブルディスプレイ装置は、算出された抵抗値の差がベンディングされた度合いに応じて区分された複数のレベルの中で、属するレベルに応じてフレキシブルディスプレイ装置のベンディングの度合いを判断することができる。
【０１３２】
例えば、図１５及び図１６に示すように、フレキシブルディスプレイ装置１００の背面に備えられたベンドセンサ６１で、最も大きい抵抗値を出力する地点ａ５から出力された抵抗値及び所定の距離分だけ離隔している地点ａ４から出力された抵抗値の差に基づいて、ベンディングされた度合いを判断することができる。
【０１３３】
具体的に、予め保存された複数のレベルの中で、図１５及び図１６に示す実施形態で算出された抵抗値の差の属するレベルを確認し、確認されたレベルに対応するベンディングの度合いを判断することができる。ここで、ベンディングの度合いは、ベンディングの角度またはベンディングの強度で表現されてよい。
【０１３４】
一方、図１６に示す実施形態が、図１５に示す実施形態の場合よりベンディングの度合いが大きくなっているため、図１６に示す実施形態でベンディングセンサａ５地点から出力された抵抗値及びａ４地点から出力された抵抗値の差は、図１５に示す実施形態でベンディングセンサａ５地点から出力された抵抗値及びａ４地点から出力された抵抗値の差に比べて大きくなる。それにより、制御部１２０は、図１６のようにベンディングされた場合、ベンディングの度合いが更に大きいと判断することができる。
【０１３５】
制御部１２０は、ベンディングの度合いに応じて適切な動作を行うことができる。仮に、チャネルザッピング（ｚａｐｐｉｎｇ）動作を行う場合、ベンディングの度合いが大きい場合、チャネルザッピング速度を速めたり、チャネルザッピング範囲を更に大きくすることができる。一方、ベンディングの度合いが低い場合、より遅く、より小さいチャネル個数単位でチャネルザッピングを行うことができる。音量調節やコンテンツ転換等の動作時にも、ベンディングの度合いに応じて異なるように動作を行うことができる。
【０１３６】
一方、上述のように、フレキシブルディスプレイ装置１００のベンディング方向は、Ｚ＋方向またはＺ−方向のように異なってよい。
【０１３７】
ベンディング方向も多様な方式でセンシングされてよい。一例として、ベンドセンサを二つに重畳して配置し、各ベンドセンサの抵抗値の大きさの変化の差に応じて、ベンディング方向を判断することができる。図１７ないし図１９において、重畳されたベンドセンサを用いてベンディング方向を検知する方法について説明する。
【０１３８】
説明の便宜上、図１７ないし図１９においては、一般ベンディングの場合を例えて説明する。しかし、フォールディング及びローリングの場合にも、ベンディングと同様に、適用可能である。
【０１３９】
図１７によると、ディスプレイ装置１５０の片側には二つのベンドセンサ７１、７２が互いに重畳して設けられてよい。この場合、片側方向に一般のベンディングが行われるようになると、ベンディングが行われた地点から、上位ベンドセンサ７１及び下位ベンドセンサ７２の抵抗値が異なるように検出される。よって、同じ地点における両ベンドセンサ７１、７２の抵抗値を比較すると、ベンディング方向を把握することができる。
【０１４０】
具体的に、図１８のように、フレキシブルディスプレイ装置１００がＺ＋方向にベンディングされると、ベンディングラインに該当するＡ地点で、上方ベンドセンサ７１より下方ベンドセンサ７２により大きい強度の張力がかかるようになる。
【０１４１】
それとは逆に、図１９のように、フレキシブルディスプレイ装置１００が背面方向にベンディングされると、上方ベンドセンサ７１で下方ベンドセンサ７２より更に大きい強度の張力がかかるようになる。
【０１４２】
よって、制御部１２０は、両ベンドセンサ７１、７２で、Ａ地点に該当する抵抗値を比較し、ベンディング方向を検知することができる。
【０１４３】
図１７ないし図１９においては、両ベンドセンサがディスプレイ部１５０の片側で互いに重畳されて配置された状態を示しているが、ベンドセンサはディスプレイ部１５０の両面に配置されてよい。
【０１４４】
図２０は、両ベンドセンサ７１、７２が、ディスプレイ部１５０の両面に配置された状態を示す。
【０１４５】
それにより、フレキシブルディスプレイ装置１００が、画面から垂直の第１方向（以下、Ｚ＋方向）にベンディングされる際は、ディスプレイ部１５０の両面のうち、第１面に配置されたベンドセンサは圧縮力を受けるようになる一方、第２面に配置されたベンドセンサは張力を受けるようになる。一方、第1方向の反対である第２方向（以下、Ｚ−方向という）にベンディングされる際は、第２面に配置されたベンドセンサは圧縮力を受けるようになる一方、第１面に配置されたベンドセンサは張力を受けるようになる。このように、ベンディング方向に沿って両ベンドセンサから検知される値は、互いに異なるように検出され、制御部１２０は、その値の検出特性に応じてベンディング方向を区分することができる。
【０１４６】
一方、図１７ないし図２０においては、二つのベンドセンサを用いてベンディング方向を検知するものとして説明したが、ディスプレイ部１５０の片面に配置されたストレインゲージだけでも、ベンディング方向を区分することもできる。すなわち、片面に配置されたストレインゲージは、そのベンディング方向に沿って圧縮力または引張力がかかるため、その出力値の特性を確認すると、ベンディング方向を把握することができるようになる。
【０１４７】
図２１は、一つのベンドセンサをディスプレイ部１５０の片面に配置し、ベンディングを検知する構成の一例を示す。図２１によると、ベンドセンサ７１は円形や四角、その他の多角形からなる閉曲線状に実現され、ディスプレイ部１５０の周縁に配置されてよい。制御部１２０は、閉曲線上で出力値の変化が検知される地点をベンディング領域と判断することができる。その他に、ベンドセンサは、Ｓ字やＺ字、その他ジグザグ（ｚｉｇｚａｇ）のような開曲線状にディスプレイ部１５０と結合されてよい。
【０１４８】
図２２は、二つのベンドセンサが互いに交差するように配置した実施形態を示す。図２２によると、第１ベンドセンサ７１は、ディスプレイ部１５０の第１面に配置され、第２ベンドセンサ７２は、ディスプレイ部１５０の第２面に配置される。第１ベンドセンサ７１は、ディスプレイ部１５０の第１面上で第１対角線方向に配置され、第２ベンドセンサ７２は、第２面で第２対角線方向に配置される。それにより、各角領域がベンディングされる場合、各周縁領域がベンディングされる場合、中央部がベンディングされる場合、フォールディングまたはローリングが行われる場合等のような多様なベンディング要件別に、第１及び第２ベンドセンサ７１、７２の出力値及び出力地点が異なるようになるため、制御部１２０は、このような出力値特性に応じてどのような形のベンディングが行われたかを判断することができる。
【０１４９】
一方、上述の多様な実施形態では、ライン形のベンドセンサが使用される場合を示しているが、断片的なストレインゲージを複数使用してベンディングを検知することもできる。
【０１５０】
図２３及び図２４は、複数のストレインゲージを使用してベンディングを検知する実施形態を示す図である。ストレインゲージは、かかる力の大きさに応じて抵抗が大きく変わる金属または半導体を用いて、その抵抗値の変化に応じて測定対象物の表面の変形を検知するものである。一般的に、金属のような材料は、外部からの力によって長く伸びると、抵抗値が増加し、長さが短くなると、抵抗値が減少する特性がある。よって、抵抗値変化を検知すると、ベンディングが行われたか否かを判断することができる。
【０１５１】
図２３によると、ディスプレイ部１５０の周縁領域には複数のストレインゲージが配置される。ストレインゲージの数は、ディスプレイ部１５０のサイズや形、予め設定されたベンディング検知解像度等によって異なってよい。
【０１５２】
図２３のように、ストレインゲージが配置された状態で、ユーザは任意の地点を任意の方向にベンディングさせることができる。例えば、図２４のように、一角領域がベンディングされると、横方向に配置されたストレインゲージ８０−１〜８０−ｎがの中でベンディングラインに重なるストレインゲージ８０−ｘに力が作用する。それにより、当該ストレインゲージ８０−ｘの出力値が他ストレインゲージの出力値より大きくなる。なお、縦方向に配置されたストレインゲージ８０−ｎ、８０−ｎ＋１、〜８０−ｍの中でもベンディングラインに重なるストレインゲージ８０−ｙに力が作用し、出力値が変わるようになる。制御部１２０は、出力値の変わった両ストレインゲージ８０−ｘ、８０−ｙを連結するラインをベンディングラインと判断することもできる。
【０１５３】
または、図１８ないし図２４において説明した内容と異なり、フレキシブルディスプレイ装置１００は、ジャイロセンサ、地磁気センサ、加速度センサ等のような多様なセンサを用いてベンディング方向を検知することもできる。
【０１５４】
図２５及び図２６は、このようなセンサの一例として、加速度センサを用いてベンディング方向を検知する方法を説明するための図である。図２５及び図２６によると、フレキシブルディスプレイ装置１００は、複数の加速度センサ８１−１、８１−２を含む。
【０１５５】
加速度センサ８１−１、８１−２は、動きが発生したとき、加速度及び加速度の方向を測定することができるセンサである。具体的には、加速度センサ８１−１、８１−２は、そのセンサの付着された装置の勾配に応じて変化する重力加速度に対応するセンシング値を出力する。よって、フレキシブルディスプレイ装置の両側の周縁領域に加速度センサ８１−１、８１−２を各々配置すると、フレキシブルディスプレイ装置がベンディングされる際、各加速度センサ８１−１、８１−２でセンシングされる出力値が変化する。制御部１２０は、各加速度センサ８１−１、８１−２でセンシングされる出力値を用いてピッチ角（ｐｉｔｃｈ  ａｎｇｌｅ）及びロール角（ｒｏｌｅ  ａｎｇｌｅ）を演算する。それにより、各加速度センサ８１−１、８１−２から検知されたピッチ角及びロール角の変化の度合いに基づいてベンディング方向を判断することができる。
【０１５６】
一方、図２５においては、フレキシブルディスプレイ装置１００が前面を基準に横方向の両側の周縁に加速度センサ８１−１、８１−２が配置された状態を示しているが、図２６のように、縦方向に配置されてよい。この場合、フレキシブルディスプレイ装置１００が縦方向にベンディングされると、縦方向の各加速度センサ８１−３、８１−４から検知した測定値に応じてベンディング方向を検知することができる。
【０１５７】
図２５及び図２６は、フレキシブルディスプレイ装置１００の左右側の周縁または上下側の周縁に加速度センサが配置された状態を示しているが、加速度センサは、上下左右側の周縁のいずれにも配置されてよく、角領域に配置されてよい。
【０１５８】
上述のように、加速度センサ以外にジャイロセンサや地磁気センサを用いてベンディング方向を検知することもできる。ジャイロセンサは、回転運動が生じると、その速度方向に作用するコリオリの力を測定し、角速度を検出するセンサである。ジャイロセンサの測定値によると、どの方向に回転されたかを検出することができるため、ベンディング方向を検知することができる。地磁気センサは、２軸または３軸フラックスゲートを用いて方位角を検知するセンサである。地磁気センサで実現された場合、フレキシブルディスプレイ装置１００の角周縁部分に配置された地磁気センサは、その周縁部分がベンディングされると、位置移動が行われるようになり、それによる地磁気変化に対応する電気信号を出力する。制御部１２０は、地磁気センサから出力される値を用いてヨー角（ｙａｗ  ａｎｇｌｅ）を算出することができる。それにより、算出されたヨー角の変化に応じて、ベンディング領域及びベンディング方向等のような多様な変形特性を判断することができる。
【０１５９】
以上のように、フレキシブルディスプレイ装置１００は、多様なセンサを用いて変形を検知することができる。上述のセンサの構成及びセンシング方法は、個別的にフレキシブルディスプレイ装置１００に適用されてよく、互いに組み合わせられて適用されてよい。
【０１６０】
一方、検知部１１０は、ベンディング以外に、ユーザがディスプレイ部１５０の画面をタッチする操作も検知することができる。
【０１６１】
仮に、検知部１１０は、ディスプレイ部１５０内の基板１５１上に蒸着されたＩＴＯ（Ｉｎｄｉｕｍ−Ｔｉｎ  Ｏｘｉｄｅ）のような透明電導膜及びその上側に形成されたフィルムを含んでよい。それにより、ユーザが画面をタッチすると、タッチされた地点の上下板が接触し、電気信号が制御部１２０に伝達される。制御部１２０は、電気信号が伝達された電極の座標を用いて、タッチ地点を認識する。タッチ検知方式については、多様な先行文献を通じて公知となっているため、これ以上の具体的な説明は省略する。
【０１６２】
制御部１２０は、タッチやベンディング等が検知された場合、そのタッチやベンディングによって多様な制御動作を行うことができる。以上のように、フレキシブルディスプレイ装置１００は、多様な種類のベンディングを検知することができる。このようなベンディングが全て使用される場合、ユーザがこのようなベンディングを全て覚えることは困難である。よって、制御部１２０は、各ベンディングの形またはそのベンディング方式をユーザが直観的に知ることができるように、ベンディングインタラクションガイドを客体に重畳してディスプレイするように、グラフィック処理部１３０及びディスプレイ部１５０を制御する。以下では、ベンディングインタラクションガイドが付加された客体を含む画面に対する多様な例を示す。
【０１６３】
＜ベンディングインタラクションガイドを含む画面及びベンディングインタラクションガイドに対する多様な例＞
図２７は、各種アプリケーションアイコン及びメニューの表示されたメイン画面の一例を示す図である。図２７によると、メイン画面２７００は、ユーザの操作によってページが変化するアイコン表示領域及びそのアイコン表示領域の下段でデフォルトメニューを固定的に表示するメニュー表示領域に区分される。
【０１６４】
アイコン表示領域には、客体２７１０及びその客体に付加されたベンディングインタラクションガイド２７１１が表示される。アイコン表示領域内で客体２７１０は、４×４行列に配置された状態を示しているが、客体の整列は、ｎ×ｍと多様に実現されてよい。仮に、３×３、３×４、３×５、４×３、４×４、４×５、５×３、５×４、５×５等のように、多様な形で配置されてよい。なお、図２７は、フレキシブル装置１００が携帯電話で実現された際の画面の構成例を示しているが、タブレットパソコンのように縦横比率の異なるディスプレイ装置で実現された際には、客体の整列はその画面の比率に応じて多様になることはいうまでもない。
【０１６５】
ベンディングインタラクションガイド２７１１は、各客体に対応するベンディングの特性に応じて異なる形態で生成される。図２７においては、左側最上段の客体及びベンディングインタラクションガイドに対してのみ参照符合の２７１０、２７１１を付しているが、それは図示の簡易化するためのものであり、残りの客体に対しては全てベンディングインタラクションガイドが付加されて表示されてよい。
【０１６６】
客体２７１０には、各種アプリケーションを実行させるためのアプリケーションアイコン、予め生成されたフォルダをオープンさせるためのフォルダアイコン、その他にフレキシブルディスプレイ装置１００がサポートする各種機能を実行させるための機能アイコン等が含まれる。これらのアイコンに対しては、それぞれ所定の形のベンディングが設定される。各客体には設定されたベンディングの特性に応じてベンディングインタラクションガイドがマッチングする。
【０１６７】
ベンディングインタラクションガイドは、ベンディングラインの位置及び形に応じて異なるように表示されるラインイメージガイドで表現されてよく、そのラインイメージに文字ガイド及び記号ガイドの少なくとも一方が追加される形態で表現されてよい。仮に、左上段角を曲げてから開くベンディングの場合、ベンディングラインが左上段角の部分で対角線で形成される。それにより、当該ベンディングが設定された客体に対しては、左上段角の部分で対角線で表示されるラインガイドイメージが付加される。ユーザがそのガイドに応じて左上段角を曲げてから開くベンディングを取ると、当該客体が選択され、その客体に対応する動作が行われる。
【０１６８】
一方、メイン画面２７００内のメニュー表示領域では、頻繁に使用する各種メニュー２７２０、２７３０、２７４０、２７５０が表示される。各メニュー２７２０、２７３０、２７４０、２７５０についても、ベンディングインタラクションガイド２７２１、２７３１、２７４１、２７５１が付加されて表示される。
【０１６９】
ベンディングインタラクションガイドは、図２７のようなメイン画面以外にも、多様な画面で表示されてよい。すなわち、フレキシブルディスプレイ装置１００は、予め保存された各種アプリケーションを実行させてその実行画面をディスプレイし、その実行画面にベンディングインタラクションガイドを表示することができる。
【０１７０】
図２８は、メッセージ伝送機能を実行させた場合に表示される画面構成の例を示す図である。
【０１７１】
図２８によると、メッセージ伝送画面２８００は、文字または記号入力のための各種入力領域２８１０、２８２０、２８３０と、その入力領域に表示される文字や記号を入力するための選択ボタン領域２８４０を含む。
【０１７２】
入力領域２８１０、２８２０、２８３０には、受信者、タイトル、メール内容等を表示するための領域が設けられてよい。
【０１７３】
選択ボタン領域２８４０には、文字または記号を入力するための各種選択ボタンが表示される。各選択ボタン２８４１には、ベンディングインタラクションガイド２８４２が付加されて表示される。
【０１７４】
制御部１２０は、各選択ボタン２８４１に表示されたベンディングインタラクションガイド２８４２に対応するベンディングが検知される、その選択ボタンに対応する文字または記号を入力領域に表示する。仮に、受信者を入力するための第１入力領域２８１０が選択された後、選択ボタン領域２８４０に表示されたベンディングインタラクションガイドによるベンディングが入力されると、そのベンディングに対応する文字または記号を第１入力領域２８１０に表示する。次に、第２または第３入力領域２８２０、２８３０が選択されてから再びベンディングが入力されると、そのベンディングに対応する文字または記号を第２または第３入力領域２８２０、２８３０に表示する。
【０１７５】
図２７及び図２８では、客体別にベンディングインタラクションガイドの付加される実施形態について説明したが、一つの画面内でベンディングラインが形成される位置にベンディングインタラクションガイドが表示されてよい。仮に、電子書籍アプリケーションが実行されて電子書籍コンテンツが画面上に表示されている状態では、当該アプリケーションに対して設定された少なくとも一つのベンディングに対するベンディングインタラクションガイドが画面上に付加されて表示されてよい。すなわち、右側周縁をベンディングさせると、次のページにめくられる動作が行われるように設定されている場合、右側周縁部分に直線のベンディングインタラクションガイドが表示されてよい。または、右側角の部分をベンディングさせると、当該ページを記憶するしおり機能が実行されるように設定されている場合、右角の部分に直線のベンディングインタラクションガイドが表示されてよい。
【０１７６】
その他にも、キーボードアプリケーションが使用される場合には、画面上に表示されるキーの位置にベンディングインタラクションガイドを表示することができる。なお、ウェブブラウザプログラムが実行されてウェブページがディスプレイされているか、その他のアプリケーションが実行されて、その実行画面がディスプレイされている場合でも、当該プログラムに対して設定されたベンディングに対応するベンディングインタラクションガイドが表示されてよい。その他に、スクロールやその他の入力客体が定義される全ての箇所にベンディングインタラクションガイドが表示されて使用されてよい。
【０１７７】
ベンディングインタラクションガイドは、客体毎に一意的に設定されてよく、画面上の表示位置に対して一意的に設定されてよい。フレキシブル装置１００の運営体制またはソフトウェアプラットフォームはベンディングインタラクションガイドを客体に対して一意的にマッピングさせたり、画面上の位置に対して自動的にマッピングさせてよい。位置に対してマッピングさせる場合には、客体の位置移動があると、移動された位置に対応するベンディング及びベンディングインタラクションガイドを当該客体にマッピングさせてよい。
【０１７８】
または、ベンディング及びベンディングインタラクションガイドはアプリケーションの要求に応じてマッピングされてよい。すなわち、アプリケーションの製作者が当該アプリケーションの使用に最適化されたベンディングがあると判断される場合、アプリケーションの駆動情報内にベンディングに対する情報及びそのベンディングの形態や方式を表現するためのベンディングインタラクションガイドに対する情報が設けられてよい。フレキシブル装置１００の運営体制またはソフトウェアプラットフォームはアプリケーション駆動情報内に保存されたベンディング情報及びベンディングインタラクションガイドに対する情報を用いて、当該アプリケーションのアイコンに対してベンディング及びベンディングインタラクションガイドを設定する。このようなベンディング情報及びベンディングインタラクションガイド情報のうち、少なくとも一方は標準フォーマットに定義されてよい。すなわち、アプリケーション内のどの領域にベンディング及びベンディングインタラクションガイドに対する情報が配置されるか、何バイトのコードで表現される情報か等が標準として規定されてよい。それにより、アプリケーションの制作者は自分所望のベンディング及びベンディングインタラクションガイドを一意的に製作してフレキシブル装置で実現してよい。
【０１７９】
それにより、フレキシブル装置１００で基本的に提供する基本ベンディング及びそれに対するガイド以外に新たなベンディング及びベンディングインタラクションガイドがサポートされてよい。
【０１８０】
なお、ユーザが特定客体に対して別途のベンディングをマッピングさせることもできる。仮に、設定メニューを押すと、フレキシブル装置１００から検知可能なベンディングの種類及びそのベンディングにマッピングされる客体を選択できるＵＩ画面をディスプレイすることができる。ユーザは、ＵＩ画面を通じてベンディングと客体とをマッピングさせることができる。
【０１８１】
一方、ベンディングと客体とをマッピングさせる過程において、優先順位が要求されてよい。すなわち、フレキシブル装置１００で位置別にベンディングが設定されるように設計された場合、ユーザまたはアプリケーションが要求したベンディングが当該客体が表示された位置のベンディングと異なると、両ベンディング間の優先順位を比較して優先的なベンディングを当該客体をマッピングさせることができる。優先順位は、ユーザの要求したベンディングが最優先順位を有し、アプリケーションが要求したベンディングがその次の順位、位置に対して指定されたベンディングが最後の順位を有するように定義されてよい。このような優先順位は多様に設定されてよい。
【０１８２】
図２９は、画面上の表示位置に対して一意的に設定されたベンディングインタラクションガイドを表示する実施形態に対する図である。
【０１８３】
図２９によると、フレキシブルディスプレイ装置１００は、複数のページに区分されるメイン画面２９１０、２９２０を表示する。ユーザは、画面をタッチして片方向にフリック（ｆｌｉｃｋ）させたり、フレキシブルディスプレイ装置１００をベンディングさせる方式でメイン画面２９１０、２９２０を転換することができる。
【０１８４】
メイン画面の各ページには、ユーザの配置した各種アプリケーションが表示されてよい。図２９によると、第１ページ画面２９１０にはアイコン１ないし９（２９１１）が表示され、第２ページ画面２９２０にはアイコン９ないし１２が表示される。
【０１８５】
制御部１２０は、画面転換が行われると、転換前の画面で各客体の表示位置別に設定されたベンディングを、転換後の画面で新たに表示される新規客体の表示位置に応じて同様に設定する。すなわち、第１ページ画面２９１０のアイコン１に対応する第１ベンディングが第２ページ画面２９２０のアイコン９に対しても同様に設定される。  制御部１２０は、第１ページ画面２９１０がディスプレイされている状態で第１ベンディングが検知されると、アイコン１に対応する動作を行う。一方、制御部１２０は、第２ページ画面２９２０がディスプレイされている状態で第１ベンディングが検知されると、アイコン９に対応する動作を行う。アイコン２ないし４に対応するベンディングはアイコン１０ないし１２に対して同様に設定される。図２９では、第２ページ画面２９２０でも４つのアイコンのみが表示されているが、もし８つのアイコンが表示されたなら、アイコン５ないし８に対応するベンディングも第２ページ画面２９２０上のアイコンに利用されてよい。
【０１８６】
制御部１２０は、転換後の画面で新たに表示される新規客体に対してベンディングが新たに設定されると、新たに設定されたベンディングに対するベンディングインタラクションガイド２９１２を新規客体に付加してディスプレイすることができる。図２９によると、アイコン１ないし４に付加されたベンディングインタラクションガイドをアイコン９ないし１２に対して同様に付加する。結果的に、ベンディングインタラクションガイド２９１２は、画面転換が行われるようになると、その画面上の客体表示位置に応じて以前の画面と同様のパターンで表示される。
【０１８７】
図３０は、ベンディングインタラクションガイドが客体別に一意的に設定される実施形態に係るフレキシブルディスプレイ装置１００の画面を示す。説明の便宜上、画面構成、画面上に表示される客体数、客体表示位置等は、図２９と同様に示している。
【０１８８】
図３０によると、第１ページ画面２９１０が表示された状態で第２ページ画面２９２０がディスプレイされると、第２ページ画面２９２０には第１ページ画面２９１０に表示されていたベンディングインタラクションガイドと異なる新たなベンディングインタラクションガイドが表示される。すなわち、ベンディングインタラクションガイドは、各客体別に一意的に設定されたベンディングを視覚的に表現したものであってよい。
【０１８９】
図３０では示していないが、第３ページ画面に転換されると、第３ページ画面で新たに表示されるアイコンに対しても固有のベンディングが設定され、それに対応するベンディングインタラクションガイドが表示されてよい。
【０１９０】
図２７ないし図３０においては、ライン形に表示された多様なベンディングインタラクションガイドについて示しているが、上述のように、ベンディングインタラクションガイドには、文字や記号ガイドが追加されてよく、その他に多様な形で表示されてよい。以下では、ベンディングインタラクションガイドの種類及びそれに対応するベンディングについて具体的に説明する。
【０１９１】
なお、上述の図では、ベンディングインタラクションガイドが画面上の全ての客体に対して付加されるものとして例示しているが、ベンディングインタラクションガイドの表示有無は選択的に決定されてよい。仮に、ユーザは設定メニューを通じてベンディングインタラクションガイドの使用有無を全体的に設定することができる。ベンディングインタラクションガイド表示機能がＯＮされると、上述のように、多様なベンディングインタラクションガイドが提供される。一方、ベンディングインタラクションガイド表示機能がＯＦＦされると、ベンディングインタラクションガイドを除く客体のみがディスプレイされる。
【０１９２】
または、ベンディングインタラクションガイドの使用有無は、客体別に設定されてよい。仮に、図３０を例に挙げると、１、２番客体に対してはベンディングインタラクションガイドを表示するように設定し、３−１２番客体に対してはベンディングインタラクションガイドを表示しないように設定してよい。この場合、設定状態に応じて、客体別にベンディングインタラクションガイドが表示または未表示される。
【０１９３】
または、ベンディングインタラクションガイドの使用有無は、ページ別に設定されてよい。仮に、図３０を例に挙げると、１番目のページ２９１０に対してはベンディングインタラクションガイドを表示するように設定し、２番目のページ２９２０に対しては、ベンディングインタラクションガイドを表示しないように設定することができる。それにより、２番目のページ２９２０では、客体９−１２のみ表示され、ベンディングインタラクションガイドは付加されない。
【０１９４】
または、ベンディングインタラクションガイドの使用有無は、アプリケーション別に設定されてよい。すなわち、上述の図２７のようなメイン画面に対してのみベンディングインタラクションガイドを表示するように設定し、図２８のようなアプリケーション実行画面に対してはベンディングインタラクションガイドを表示しないように設定することができる。この場合、図２８のように、メールアプリケーションが実行され、図２８のような画面がディスプレイされるとしても、ベンディングインタラクションガイドは表示されなくなる。
【０１９５】
その他にも、ベンディングインタラクションガイドの表示有無は多様な基準に応じて選択的に決定されてよい。
【０１９６】
＜ベンディング及びベンディングインタラクションガイドの種類＞
ベンディングインタラクションガイドは、ベンディングの特性に応じて、ライン幅、ライン数、ラインの形、ライン方向、ライン位置、ライン角度、ライン色相、ラインサイズ、ライン長のうち、少なくとも一つが調整されたラインイメージガイドを含んでよい。
【０１９７】
図３１は、フレキシブルディスプレイ装置を第１方向に曲げるベンディングに対応するベンディングインタラクションイメージ（ａ〜１）を示す。第１方向とは、フレキシブルディスプレイ装置の表面を基準にユーザの位置する側の方向を意味する。
【０１９８】
フレキシブルディスプレイ装置が四角である場合、ベンディングは左上段、右上段、左下段、右下段、左側周縁、上側周縁、右側周縁、下側周縁の折ってから開くベンディングアンドフラット、左または右方向に中央部分を折る横方向フォールディング、上または下方向に中央部分を折る縦方向フォールディング、角または周縁部分を折ったまま保持するベンディングアンドホールド等を含んでよい。
【０１９９】
それにより、左上段角の部分にラインが表示されるベンディングインタラクションガイド（ａ）、右上段角の部分にラインが表示されるベンディングインタラクションガイド（ｂ）、左下段角の部分にラインが表示されるベンディングインタラクションガイド（ｃ）、右下段角の部分にラインが表示されるベンディングインタラクションガイド（ｄ）等が表示されてよい。なお、左側周縁部分にラインが表示されるベンディングインタラクションガイド（ｅ）、上側周縁部分にラインが表示されるベンディングインタラクションガイド（ｆ）、右側周縁部分にラインが表示されるベンディングインタラクションガイド（ｇ）、下側周縁部分にラインが表示されるベンディングインタラクションガイド（ｈ）等が表示されてよい。なお、横方向フォールディングが行われた際のベンディングラインを表示するための縦ラインを示すベンディングインタラクションガイド（ｉ）、縦方向フォールディングが行われた際のベンディングラインを表示するための横ラインを示すベンディングインタラクションガイド（ｊ）も表示されてよい。このようなベンディングインタラクションガイド（ａ〜ｊ）は実線で表示されてよい。
【０２００】
一方、ベンディングアンドホールドに対しては太実線で表示してよい。図３１によると、左上段角の部分をベンディングさせた後保持するベンディングアンドホールドを意味するベンディングインタラクションガイド（ｋ）、右側周縁部分をベンディングさせた後保持するベンディングアンドホールドを意味するベンディングインタラクションガイド（ｌ）が表示されてよい。図３１では，左上段角の部分と右側周縁部分に対するベンディングアンドホールドに対してのみベンディングインタラクションガイド（ｋ、ｌ）が表示されたが、他の領域においてベンディングアンドホールドが設定されている場合、その動作に対応するベンディングインタラクションガイド（ｋ、ｌ）が表示されてよい。すなわち、図３１の他のベンディングインタラクションガイド（ａ〜ｊ）が太実線で表示されてよい。
【０２０１】
図３１は、第１方向にベンディングされる場合に対するベンディングインタラクションガイドについて説明しているが、第２方向にベンディングされる場合にもベンディングインタラクションガイドが表示されてよい。
【０２０２】
図３２は、第２方向にベンディングされる場合に対するベンディングインタラクションガイドを示す図である。図３２によると、第２方向にベンディングされる場合には、ベンディングインタラクションガイドは点線で表示される。すなわち、図３２の各ベンディングインタラクションガイド（ａ〜１）は、図３１と同様のベンディングが第１方向の反対、すなわち、裏側方向に行われる場合を表現するベンディングインタラクションガイドである。
【０２０３】
図３１及び図３２に示すように、ベンディングインタラクションガイドはそのベンディング方向に応じてラインの属性を実線または点線に設定して表示されてよく、ベンディングアンドフラット動作か、ベンディングアンドホールド動作か否かに応じて、薄実線または太実線で表示されてよい。点線以外にも、一点鎖線、二点鎖線等のように多様な属性のラインで表示されてよい。
【０２０４】
図３１及び図３２においては、第１方向か第２方向かによって、ラインの属性が異なってくるが、それと違って、ベンディング方向は文字ガイドまたは記号ガイドを用いて表示することもできる。
【０２０５】
図３３は、第１方向にベンディングされる動作を表現するために、Ｕという文字ガイドが付加されたベンディングインタラクションガイド（ａ）、第２方向にベンディングされる動作を表現するために、Ｄという文字ガイドが付加されたベンディングインタラクションガイド（ｂ）、第１方向にベンディングされる動作を表現するために、＋という記号ガイドが付加されたベンディングインタラクションガイド（ｃ）、第２方向にベンディングされる動作を表現するために、−という記号ガイドが付加されたベンディングインタラクションガイド（ｄ）を示す。
【０２０６】
以上のように、ベンディング位置、ベンディングの形、ベンディング方向等は、ライン位置、ライン属性、ライン幅、文字ガイド、記号ガイド等を用いて直観的に報知することができる。
【０２０７】
一方、同一の領域に対して同一の形で複数回ベンディングさせる場合、１回ベンディングさせる場合と異なる動作を行うように設定されてよい。この場合、ベンディング回数を示すベンディングインタラクションガイドが要求されてよい。
【０２０８】
図３４は、ベンディング回数を表現するベンディングインタラクションガイドの多様な例を示す図である。図３４に示すように、ベンディング回数は、ライン上に追加された点の個数で表現されてよく（ａ、ｂ）、数字で表現されてよく（ｃ、ｄ）、ラインに個数で表現（ｅ、ｆ）されてよい。仮に、点が２つであるベンディングインタラクションガイド（ａ）、２という数字を含むベンディングインタラクションガイド（ｃ）、２つのラインで表現されたベンディングインタラクションガイド（ｅ）は２回ベンディングさせるべきことを意味し、点が３つであるベンディングインタラクションガイド（ｂ）、３という数字を含むベンディングインタラクションガイド（ｄ）、３つのラインで表現されたベンディングインタラクションガイド（ｅ）は２回ベンディングさせるべきことを意味する。図３４においては、数字がライン周辺に表示されたことを示しているが、ライン上に重畳されて表示されてよい。
【０２０９】
その他に、ベンディング角度（ａｎｇｌｅ）やベンディングの程度（ｄｅｇｒｅｅ）に応じて多様な制御動作が設定されてよい。仮に、電子書籍アプリケーションが実行されて電子書籍コンテンツが表示された状態で３０度だけベンディングされた場合には、１ページ単位で次のページにめくる第１制御動作を行うことができる。一方、６０度ベンディングさせた場合には、複数のページを一度にめくる第２制御動作を行うことができる。よって、ベンディング角度やベンディング程度についても、ベンディングインタラクションガイドを通じて報知する必要がある。
【０２１０】
図３５は、ベンディング角度またはベンディング程度を表現するベンディングインタラクションガイドの多様な例を示す。図３５によると、ベンディング角度を数字で表現するベンディングインタラクションガイド（ａ、ｂ）、グラフィック記号で表現するベンディングインタラクションガイド（ｃ、ｄ）が表示されてよい。すなわち、図３５において、ラインイメージガイドはベンディング位置を示し、数字または記号はベンディング角度またはベンディング程度を示す。図３５の数字または記号もライン上に重畳されて表示されてよい。
【０２１１】
その他に、ベンディング保持時間に応じても、多様な制御動作が設定されてよい。仮に、上述のように、電子書籍アプリケーションが実行されて電子書籍コンテンツが表示された状態を例えると、１秒だけベンディングされた場合には、１ページ単位で次のページにめくる第１制御操作を行うことができる。一方、３秒程度ベンディングさせた場合には、複数のページを一度にめくる第２制御動作を行うことができる。よって、ベンディング保持時間に対しても、ベンディングインタラクションガイドを通じて報知することができる。
【０２１２】
図３６は、ベンディング保持時間を示すベンディングインタラクションガイドの例を示す。図３６によると、ベンディングインタラクションガイド（ａ、ｂ）には、ベンディング位置を示すラインイメージガイドと、そのベンディング保持時間を示す文字（１ｓ、３ｓ）が同時に表示される。ユーザは、図３６のベンディングインタラクションガイド（ａ、ｂ）を見て直観的にベンディング方式を認識することができる。
【０２１３】
その他に、互いに異なる領域を数回曲げるマルチベンディングにマッチングされた機能がサポートされる場合には、ユーザがベンディング順を知ることができるように、ベンディング順を表現するベンディングインタラクションガイドが表示されてよい。
【０２１４】
図３７は、ベンディング順を表現するための各種数字が付加されたベンディングインタラクションガイドの多様な例を示す。図３７によると、第２方向に１次ベンディングが行われた後、第１方向に２次ベンディングが行われる場合には、点線とともに１という数字が表現され、実線とともに２という数字が表現されたベンディングインタラクションガイド（ａ）が表示されてよい。その他にも、ベンディング方向、ベンディング領域を示す複数のラインガイドイメージとそのベンディング順を示す数字が付加されたベンディングインタラクションガイド（ｂ、ｃ、ｄ）が表示されてよい。
【０２１５】
または、上述のように、ツイストやローリング、スイング、シェイキング等のような特殊な形のベンディングが使用されてよい。この場合、各ベンディングを表現するための多様なベンディングインタラクションガイドが提供されてよい。
【０２１６】
図３８は、特殊ベンディングを表現するためのベンディングインタラクションガイドの多様な例について示す。図３８によると、フレキシブルディスプレイ装置１００をひねるツイスト動作については、そのツイスト特性に応じて互いに交差する実線及び点線で表現されるベンディングインタラクションガイド（ａ、ｂ）が表示される。
【０２１７】
なお、ローリング動作を表現するために、ローリングが行われる開始位置を示すラインガイドイメージとローリング動作であることを示す矢印イメージを含むベンディングインタラクションガイド（ｃ、ｄ）が表示される。
【０２１８】
以上では、ラインガイドイメージ、文字ガイド、記号ガイド等が多様な方式で組み合わせられてベンディングの形または方式を表現するものとして示したが、ラインガイドイメージなしにテキストのみでベンディングインタラクションガイドが表示されてよい。
【０２１９】
一方、上述の多様な実施形態では、フレキシブル装置がディスプレイ部を含むフレキシブルディスプレイ装置で実現された場合を基準に各種画面を示しているが、フレキシブル装置は外部ディスプレイ装置と接続されてその動作を制御する装置で実現されてよい。
【０２２０】
図３９は、本発明の更に別の実施形態に係る外部ディスプレイ装置と連動するフレキシブル装置の構成を示す図である。
【０２２１】
図３９によると、フレキシブル装置１００は、ディスプレイ装置２００と有線または無線で接続されてよい。フレキシブル装置１００は、上述のように、フレキシブルな材質で製作されてユーザが任意に曲げられる一方、ディスプレイ装置２００はフレキシブルではない一般のディスプレイ装置で実現されてよい。具体的には、テレビや電子書籍、モニタ、広告パネル等のような多様なディスプレイ装置で実現されてよい。
【０２２２】
ディスプレイ装置２００は、ベンディングインタラクションガイドの付加された各種客体を含む画面をディスプレイする。
【０２２３】
一実施形態によると、ベンディングインタラクションガイドの付加された客体を含む画面は、ディスプレイ装置２００が自ら生成してディスプレイすることができる。
【０２２４】
この場合、ディスプレイ装置２００は、各制御動作に対してマッチングしたベンディング情報と、ベンディングインタラクションガイドを予め保存する。ベンディング情報は、ベンディング形情報またはベンディング方式情報と称してよい。それにより、ディスプレイ装置２００がターンオンされてメイン画面をディスプレイしたり、各種アプリケーション、機能等を行ってその実行結果画面をディスプレイする際、ベンディングがマッチングした客体が存在すると、その客体に対してベンディングインタラクションガイドを表示する。
【０２２５】
ディスプレイ装置２００は、ベンディング可能なフレキシブル装置からベンディングに対応する制御信号が受信されると、その制御信号による制御動作を行う。制御信号は、ＩＲ（Ｉｎｆｒａ  Ｒｅｄ）信号で実現されてよく、フルートゥースやＮＦＣ、ＷｉＦｉ（登録商標）、Ｚｉｇｂｅｅ（登録商標）、シリアルインターフェース等のような多様なインタフェースを通じて伝送される通信信号であってよい。
【０２２６】
なお、ベンディングインタラクションガイドは、上述のように、客体別に設定されたベンディングの形や方式を視覚的に表現するガイドイメージを意味する。ベンディングインタラクションガイドの種類及び形、ベンディングに対応する制御動作等に対しては、上述の多様な実施形態について説明しているため、それ以上の説明は省略する。このような実施形態のように、ディスプレイ装置２００が自ら生成してディスプレイする場合、フレキシブル装置１００は単にリモコンで動作することができる。このときは、フレキシブル装置１００は、ディスプレイ部１５０、グラフィック処理部１３０を除き、検知部１１０と、制御部１２０と、保存部１４０を含み、それと別に、リモコン信号伝送部（図示せず）を更に含んでよい。保存部１４０には、ベンディングに対応する各種コマンドを保存することができる。制御部１２０は、検知部１１０によってベンディングが検知されると、検知されたベンディングに対応するコマンドを保存部１４０から検出した後、そのコマンドに対応する制御信号、すなわち、リモコン信号を生成してリモコン信号伝送部を介してディスプレイ装置２００に伝送することができる。保存部１４０に保存されるコマンドはディスプレイ装置２００からサポートするベンディング別に割り当てられて予め保存される。
【０２２７】
一方、別の実施形態では、フレキシブル装置１００が自らベンディングインタラクションガイドに対する情報をディスプレイ装置２００に伝送したり、ベンディングインタラクションガイドの付加された客体を含む画面に対するデータをディスプレイ装置２００に伝送し、ディスプレイさせることもできる。すなわち、ディスプレイ装置２００はフレキシブル装置１００から提供される各種情報に基づいて、ベンディングインタラクションガイドの付加された客体を表示することができる。このような状態で、ベンディングに対応する制御信号が受信されると、ディスプレイ装置２００はその制御信号に対応する動作を行う。
【０２２８】
図４０は、外部のディスプレイ装置を用いてベンディングインタラクションガイドを表現する実施形態に係るフレキシブル装置１００の構成を説明するためのブロック図である。
【０２２９】
図４０によると、フレキシブル装置１００は、検知部１１０と、制御部１２０と、保存部１４０及びインターフェース部１６０を含む。
【０２３０】
検知部１１０及び保存部１４０については、上述の図１及び図２において説明した内容と同一であるため、繰り返し説明は省略する。
【０２３１】
インターフェース部１６０は、ディスプレイ装置２００と接続されるための構成要素である。インターフェース部１６０は、ＵＳＢインターフェース、ＷｉＦｉ（登録商標）、Ｚｉｇｂｅｅ（登録商標）、ＩＥＥＥ、ブルートゥース等のような多様な有無線通信方式でディスプレイ装置２００と接続されてよい。
【０２３２】
制御部１２０は、客体及び客体に対して付加されるベンディングインタラクションガイドに対する情報をディスプレイ装置２００に伝送し、ディスプレイ装置２００がその客体及びベンディングインタラクションガイドを含む画面をディスプレイするようにすることができる。
【０２３３】
なお、制御部１２０は、検知部１１０によってベンディングが検知されると、検知されたベンディングに対応する制御動作を指示する制御信号をディスプレイ装置２００に伝送することができる。それにより、ユーザはフレキシブル装置１００をベンディングさせ、外部ディスプレイ装置２００の動作を制御することができる。
【０２３４】
図４０の実施形態において、グラフィック処理部が更に追加される場合、制御部１２０は、客体及びベンディングインタラクションガイドを含む画面そのものをレンダリングし、レンダリングデータをディスプレイ装置２００に伝送することができることはいうまでもない。
【０２３５】
図４１は、本発明の多様な実施形態に係るフレキシブル装置の制御方法を説明するためのフローチャートである。図４１によると、フレキシブル装置は、ベンディングに対するベンディングインタラクションガイドの付加された客体を含む画面を提供する（Ｓ４１１０）。ベンディングインタラクションガイドは、各客体別に一意的にまたは画面上の表示位置別に一意的に設定されたガイドであってよい。ベンディングインタラクションガイドに対しては、既に具体的に説明しているため、繰り返し説明は省略する。
【０２３６】
フレキシブル装置そのものがディスプレイ部を具備せず、外部のディスプレイ装置と接続されている場合であれば、フレキシブル装置は客体及び客体に対して付加されるベンディングインタラクションガイドに対する情報をフレキシブル装置に接続されたディスプレイ装置に伝送し、ディスプレイ装置を通じて画面をディスプレイすることができる。
【０２３７】
または、フレキシブル装置がディスプレイ部を備えている場合なら、フレキシブル装置はベンディングインタラクションガイドがそれぞれ付加された少なくとも一つの客体を含む画面を直接構成してディスプレイ部を介してディスプレイすることができる。ユーザは、ベンディングインタラクションガイドを見て多様なベンディングを入力することができる。フレキシブル装置は、上述のように、多様な方式でベンディングを検知することができる（Ｓ４１２０）。
【０２３８】
フレキシブル装置は、画面上に表示された客体に対して設定されたベンディングが検知されると、客体に対応する動作を行う（Ｓ４１３０）。フレキシブル装置が外部ディスプレイ装置と接続された装置である場合、ベンディングに対応する制御信号をディスプレイ装置に伝送することができ、自らディスプレイ部を備えたフレキシブルディスプレイ装置である場合には、ベンディングに応じて多様な動作を行うことができる。
【０２３９】
すなわち、ベンディングが行われると、そのベンディングが設定された客体に対応するアプリケーションを実行させることができる。具体的には、ゲームアイコンに対応するベンディングが行われると、対応するゲームプログラムを実行させ、電話アイコンに対応するベンディング行われると、数字パッドを含む電話接続画面をディスプレイさせることができる。その他に、連絡先メニューに対応するベンディングが行われると、予め保存された連絡先を画面上にディスプレイする。このように、客体に設定されたベンディングが行われると、その客体に対応するプログラムを実行させる。
【０２４０】
一方、客体で表現されない基本機能に対して設定されたベンディングが行われると、そのベンディングに応じて基本機能を実行させることができる。仮に、ターンオン、ターンオフ、チャネル転換、音量調整、サイズ調整、ページ転換、コンテンツ転換、アプリケーション実行、実行終了、待ち受け画面に戻る、ウィジェット表示、ウィジェット表示削除、コンテンツ再生開始、再生終了、一時停止、巻き戻し、早送り等のような多様な制御動作がベンディングによって開始されてよい。
【０２４１】
一方、図４１には示していないが、フレキシブル装置は、画面転換が行われると、転換前の画面で各客体の表示位置別に設定されたベンディングを、転換後の画面で新たに表示される新規客体の表示位置に応じて同様に設定することができる。そして、新規客体に対して設定されたベンディングに対するベンディングインタラクションガイドを新規客体に付加してディスプレイすることができる。
【０２４２】
上述のように、フレキシブル装置は、多様な装置で実現されてよい。一例として、フレキシブル装置は、携帯電話、ＰＤＡ、リモコン、タブレットパソコン、電子手帳、ノートパソコン等のような多様な装置で実現されてよい。この場合、上述の構成要素のほかに、更なる構成要素が更に備えられてよい。
【０２４３】
図４２は、携帯電話で実現されたフレキシブル装置の細部構成の例を示すブロック図である。図４２によると、フレキシブル装置は、検知部１１０と、制御部１２０と、グラフィック処理部１３０と、保存部１４０と、ディスプレイ部１５０と、通信部１６０と、ＧＰＳ受信部１６５と、ＤＭＢ受信部１６６と、オーディオ処理部１７０と、ビデオ処理部１７５と、電源部１８０と、スピーカ１８５と、ボタン１９１と、ＵＳＢポート１９２と、カメラ１９３及びマイク１９４を含む。
【０２４４】
検知部１１０は、地磁気センサ１１１と、ジャイロセンサ１１２と、加速度センサ１１３と、タッチセンサ１１４と、ベンドセンサ１１５と、圧力センサ１１６と、近接センサ１１７と及びグリップセンサ１１８を含む。検知部１１０は、上述のベンディング以外にフレキシブル装置に対するタッチ、回転、勾配、圧力、接近等のような多様な操作を検知することができる。
【０２４５】
地磁気センサ１１１は、フレキシブル装置１００の回転状態及び移動方向等を検知するためのセンサである。ジャイロセンサ１１２は、フレキシブル装置１００の回転角を検知するためのセンサである。地磁気センサ１１１及びジャイロセンサ１１２は両方備えられてよいが、このうちの一方のみが備えられていても、フレキシブル装置１００は回転状態を検知することができる。
【０２４６】
加速度センサ１１３は、フレキシブル装置１００の勾配具合を検知するためのセンサである。その他に、加速度センサ１１３は、それぞれフレキシブル装置１００のベンディング方向やベンディング領域等のようなベンディング特性を検出するための用途として使用されてよい。
【０２４７】
タッチセンサ１１４は、静電式または感圧式で実現されてよい。静電式は、ディスプレイ部１５０の表面にコーティングされた誘電体を用いて、ユーザの身体の一部がディスプレイ部１５０の表面にタッチされた際、ユーザの人体に励起される微細電気を検知し、タッチ座標を算出する方式である。感圧式は、二つの電極板を含み、ユーザが画面をタッチした場合、タッチされた地点の上下板が接触され、電流が流れることを検知し、タッチ座標を算出する方式である。以上のように、タッチセンサ１１４は多様な形態で実現されてよい。
【０２４８】
ベンドセンサ１１５は、上述のように、多様な形態及び個数で実現され、フレキシブル装置１００のベンディング状態を検知することができる。ベンドセンサ１１５の構成及び動作に対する多様な例については既に上述しているため、繰り返し説明は省略する。
【０２４９】
圧力センサ１１６は、ユーザがタッチまたはベンディング操作を行う際、フレキシブル装置１００に加わる圧力の大きさを検知し、制御部１２０に提供する。圧力センサ１１６は、ディスプレイ部１５０に内蔵され、圧力の大きさに対応する電気信号を出力する圧電フィルム（ｐｉｅｚｏ  ｆｉｌｍ）を含んでよい。図４２では、タッチセンサ１１４及び圧力センサ１１６が別のものとして示しているが、タッチセンサ１１４が感圧式タッチセンサで実現された場合、その感圧式タッチセンサが圧力センサ１１６の役割も同時に担うこともできる。
【０２５０】
近接センサ１１７は、ディスプレイ表面に直に触れずに接近するモージョンを検知するためのセンサである。近接センサ１１７は、高周波磁界を形成し、物体接近の際に変化する磁界特性によって誘導される電流を検知する高周波発振型、磁石を利用する磁気型、対象体の接近によって変化する静電容量を検知する静電容量型のような多様なセンサで実現されてよい。
【０２５１】
グリップセンサ１１８は、圧力センサ１１６とは別に、フレキシブル装置１００の周縁やグリップ部分に配置され、ユーザのグリップ（ｇｒｉｐ）を検知するセンサである。グリップセンサ１１８は、圧力センサやタッチセンサで実現されてよい。
【０２５２】
制御部１２０は、検知部１１０から検知された各種の検知信号を分析し、ユーザの意図を把握し、その意図に合った動作を行う。制御部１２０は、ベンディング以外のタッチ操作、モーション入力、音声入力、ボタン入力等のような多様な入力方式によって制御動作を行うことができる。タッチ操作には、単純タッチ、タップ、タッチアンドホールド、ムーブ、フリック、ドラッグアンドドラップ、ピンチイン、ピンチアウト等のような多様な操作があってよい。
【０２５３】
仮に、制御部１２０は、保存部１４０に保存されたアプリケーションを実行させてその実行画面を構成してディスプレイすることもでき、保存部１４０に保存された各種コンテンツを再生することもできる。なお、制御部１２０は、通信部１６０を介して外部機器と通信を行うこともできる。
【０２５４】
通信部１６０は、多様な通信方式によって多様な外部機器と通信を行う構成である。通信部１６０は、ＷｉＦｉ（登録商標）チップ１６１と、ブルートゥースチップ１６２と、ＮＦＣチップ１６３及び無線通信チップ１６４を含む。
【０２５５】
ＷｉＦｉ（登録商標）チップ１６１と、ブルートゥースチップ１６２と、ＮＦＣチップ１６３は、それぞれＷｉＦｉ（登録商標）方式、ブルートゥース方式、ＮＦＣ方式で通信を行う。このうち、ＮＦＣチップ１６３は、１３５ｋＨｚ、１３．５６ＭＨｚ、４３３ＭＨｚ、８６０〜９６０ＭＨｚ、２．４５ＧＨｚ等のような多様なＲＦ−ＩＤ周波数帯域のうち、１３．５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。ＷｉＦｉ（登録商標）チップ１６１やブルートゥースチップ１６２を利用する場合には、ＳＳＩＤ及びセッションキー等のような各種接続情報を先に送受信し、それを用いて通信接続した後、各種情報を送受信することができる。無線通信チップ１６４は、ＩＥＥＥ、Ｚｉｇｂｅｅ（登録商標）、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な通信規格によって通信を行うチップを意味する。
【０２５６】
ＧＰＳ受信部１６５は、ＧＰＳ（Ｇｌｏｂａｌ  Ｐｏｓｉｔｉｏｎｉｎｇ  Ｓｙｓｔｅｍ）衛星からＧＰＳ信号を受信し、フレキシブル装置１００の現在位置を算出するための構成要素である。
【０２５７】
ＤＭＢ受信部１６６は、ＤＭＢ（Ｄｉｇｉｔａｌ  Ｍｕｌｔｉｍｅｄｉａ  Ｂｒｏａｄｃａｓｔｉｎｇ）信号を受信して処理する構成要素である。
【０２５８】
グラフィック処理部１３０は、演算部（図示せず）及びレンダリング部（図示せず）を用いて、客体に追加されるベンディングインタラクションガイドを生成する。演算部は、ベンディングインタラクションガイドが表示される座標値、形、大きさ、カラー等のような属性値を演算する。レンダリング部は、演算部で演算された属性値に基づいてグラフィック客体を生成する。レンダリング部で生成したベンディングインタラクションガイドは、ディスプレイ部１５０に表示された画面上で各種アイコンに付加されて表示される。ベンディングインタラクションガイドは、ベンディングの特性に合うように多様なライン幅、ライン数、ラインの形、ライン方向、ライン位置、ライン角度、ライン色相、ラインサイズ、ライン長を保持するラインガイドイメージと、その他の多様な文字または記号ガイドを含む形で生成されてよい。
【０２５９】
電源部１８０は、フレキシブル装置１００の各構成要素に電源を供給する構成要素である。電源部１８０は、正極集電体、正極電極、電解質部、負極電極、負極集電体  及びそれを覆う被覆部を含む形態で実現されてよい。電源部１８０は、充放電が可能な２次電池で実現される。電源部１８０は、フレキシブル装置１００とともにベンディングできるようにフレキシブルな形態で実現されてよい。この場合、集電体、電極、電解質、被覆等は柔軟な特性を保持する材質で構成されてよい。電源部１８０の具体的な形状及び材質については以下で別途に説明する。
【０２６０】
オーディオ処理部１７０は、オーディオデータに対する処理を行う構成要素である。オーディオ処理部１７０では、オーディオデータに対するデコードや増幅、ノイズフィルタリング等のような多様な処理が行われてよい。
【０２６１】
ビデオ処理部１７５は、ビデオデータに対する処理を行う構成要素である。ビデオ処理部１７５では、ビデオデータに対するデコード、スケーリング、ノイズフィルタリング、フレームレート変換、解像度変換等のような多様なイメージ処理を行うことができる。
【０２６２】
ディスプレイ部１５０は、ビデオ処理部１７５で処理したビデオデータ、グラフィック処理部１３０において生成したベンディングインタラクションガイド等のような多様な画面及び客体をディスプレイする。ディスプレイ部１５０の構成については、既に説明しているため、繰り返し説明は省略する。
【０２６３】
スピーカ１８５は、オーディオ処理部１７０で処理された各種オーディオデータだけでなく、各種報知音や音声メッセージ等を出力する構成要素である。
【０２６４】
ボタン１９１は、フレキシブル装置１００の本体外観の前面部や側面部、背面部等の任意の領域に形成された機械的なボタン、タッチパッド、ホイール等のような多様な類型のボタンであってよい。
【０２６５】
ＵＳＢポート１９２は、ＵＳＢケーブルを通じてディスプレイ装置２００をはじめとする各種外部装置と通信を行うことができる。
【０２６６】
カメラ１９３は、ユーザの制御に従って、停止映像または動画を撮像するための構成である。カメラ１９３は、前面カメラ、背面カメラのように複数で実現されてよい。
【０２６７】
マイク１９４は、ユーザ音声やその他の音を受信してオーディオデータに変換するための構成である。制御部１２０は、マイク１９４を通じて入力されるユーザ音声を通話（ｃａｌｌ）過程において利用したり、オーディオデータに変換して保存部１４０に保存することができる。
【０２６８】
カメラ１９３及びマイク１９４が設けられた場合、制御部１２０はマイク１９４を通じて入力されるユーザ音声やカメラ１９３によって認識されるユーザモーションに応じて制御動作を行うこともできる。すなわち、フレキシブル装置１００は、モーション制御モードや音声制御モードで動作することができる。モーション制御モードで動作する場合、制御部１２０はカメラ１９３を活性化させてユーザを撮像し、ユーザのモーション変化を追跡し、それに対応する制御動作を行う。音声制御モードで動作する場合、制御部１２０はマイクを通じて入力されたユーザ音声を分析し、分析されたユーザ音声に応じて制御動作を行う音声認識モードで動作することもできる。
【０２６９】
その他に、ヘッドセット、マイク、ＬＡＮ等のような多様な外部端子と接続するための多様な外部入力ポートが更に含まれてよい。
【０２７０】
上述の制御部１２０の動作は、保存部１４０に保存されたプログラムによって行われてよい。保存部１４０には、フレキシブル装置１００を駆動させるためのＯ／Ｓ（Ｏｐｅｒａｔｉｏｎ  Ｓｙｓｔｅｍ）ソフトウェア、各種アプリケーション、アプリケーション実行中に入力されたり設定される各種データ、コンテンツ、ベンディング情報、ベンディングインタラクションガイド情報等のように、多様なデータが保存されてよい。
【０２７１】
制御部１２０は、保存部１４０に保存された各種プログラムを用いてフレキシブル装置１００の動作を全般的に制御する。なお、制御部１２０は、インターフェース部１６０を介して外部ディスプレイ装置２００が接続されていない場合には、そのディスプレイ装置２００の動作も同時に制御することができる。
【０２７２】
制御部１２０は、ＲＡＭ１２１と、ＲＯＭ１２２と、メインＣＰＵ１２３と、第１ないしｎインターフェース１２５−１〜１２５−ｎ及びバス１２６を含む。
【０２７３】
ＲＡＭ１２１と、ＲＯＭ１２２と、メインＣＰＵ１２３と、第１ないしｎインターフェース１２５−１〜１２５−ｎ等は、バス１２６を通じて相互接続されてよい。
【０２７４】
第１ないしｎインターフェース１２５−１〜１２５−ｎは、上述の各種構成要素と接続される。インターフェースのいずれか一つは、ネットワークを通じて外部装置と接続されるネットワークインターフェースであってよい。
【０２７５】
メインＣＰＵ１２３は、保存部１４０にアクセスし、保存部１４０に保存されたＯ／Ｓを用いてブートを行う。そして、保存部１４０に保存された各種プログラム、コンテンツ、データ等を用いて多様な動作を行う。
【０２７６】
ＲＯＭ１２２には、システムブートのための命令語セット等が保存される。ターンオン命令が入力されて電源が供給されると、メインＣＰＵ１２３はＲＯＭ１２２に保存された命令語に従って保存部１４０に保存されたＯ／ＳをＲＡＭ１２１にコピーし、Ｏ／Ｓを実行させてシステムをブートさせる。ブートが完了すると、メインＣＰＵ１２３は、保存部１４０に保存された各種アプリケーションプログラムをＲＡＭ１２１にコピーし、ＲＡＭ１２１にコピーされたアプリケーションプログラムを実行させて各種動作を行う。
【０２７７】
図４２は、フレキシブル装置が携帯電話で実現された場合に、搭載可能な各種構成要素を総合的に示したものである。よって、実施形態によっては、図４２に示す構成要素の一部は、省略または変更されてよく、他の構成要素が更に追加されてよい。
【０２７８】
一方、上述のように、制御部１２０は保存部１４０に保存されたプログラムを実行させ、多様な動作を行うことができる。
【０２７９】
図４３は、保存部１４０に保存されたソフトウェアの階層を説明するための図である。図４３によると、保存部１４０には、カーネル１４１と、ミドルウェア１４２と、フレキシブルＵＩフレームワーク１４３及びアプリケーション１４４が保存される。
【０２８０】
カーネル１４１は、検知部１１０に含まれた各種センサのセンシング信号をミドルウェア１４２やフレキシブルＵＩフレームワーク１４３に伝達する通路の役割を担う。
【０２８１】
ミドルウェア１４２は、フレキシブル装置１００の動作を制御する各種ソフトウェアモジュールを含む。図４３によると、ミドルウェア１４２は、Ｘ１１モジュール１４２−１、ＡＰＰマネージャ１４２−２、接続マネージャ１４２−３、セキュリティモジュール１４２−４、システムマネージャ１４２−５、マルチメディアフレームワーク１４２−６、ＵＩフレームワーク１４２−７、ウィンドウマネージャ１４２−８及びフレキシブルウィンドウマネージャ１４２−９を含む。
【０２８２】
Ｘ１１モジュール１４２−１は、フレキシブル装置１００に備えられた各種ハードウェアから各種イベントを受信するモジュールである。ここで、イベントとは、タッチやベンディング、その他のユーザ操作が検知されるイベントだけでなく、システムアラームが発生するイベント、特定プログラムの実行が開始または終了するイベント等のように多様に設定されてよい。
【０２８３】
ＡＰＰマネージャ１４２−２は、保存部１４０にインストールされた各種アプリケーションの実行状態を管理するモジュールである。ＡＰＰマネージャ１４２−２は、Ｘ１１モジュール１４２−１からアプリケーション実行命令の入力されたイベントが検知されると、当該イベントに対応するアプリケーションを呼び出して実行させる。
【０２８４】
接続マネージャ１４２−３は、有線または無線ネットワーク接続をサポートするためのモジュールである。接続マネージャ１４２−３は、ＤＮＥＴモジュールやＵＰｎＰモジュール等のような多様な細部モジュールを含んでよい。
【０２８５】
セキュリティモジュール１４２−４は、ハードウェアに対する認証（Ｃｅｒｔｉｆｉｃａｔｉｏｎ）、要求許容（Ｐｅｒｍｉｓｓｉｏｎ）、セキュリティ保存（Ｓｅｃｕｒｅ  Ｓｔｏｒａｇｅ）等をサポートするモジュールである。
【０２８６】
システムマネージャ１４２−５は、フレキシブル装置内の各構成要素の状態をモニタリングし、そのモニタリング結果を他モジュールに提供する。仮に、バッテリ残量が不足していたり、エラーが発生する場合、通信接続状態が途切れる場合等が発生すると、システムマネージャ１４２−５はそのモニタリング結果をＵＩフレームワーク１４２−７に提供して報知メッセージや報知音を出力することができる。
【０２８７】
マルチメディアフレームワーク１４２−６は、フレキシブル装置１００に保存されていたり、外部ソースから提供されるマルチメディアコンテンツを再生するためのモジュールである。マルチメディアフレームワーク１４２−６は、プレーヤモジュール、カムコーダモジュール、サウンド処理モジュール等を含んでよい。それにより、各種マルチメディアコンテンツを再生して画面及び音響を生成して再生する動作を行うことができる。
【０２８８】
ＵＩフレームワーク１４２−７は、各種ＵＩを提供するためのモジュールである。ＵＩフレームワーク１４２−７は、各種イメージ客体を構成するイメージ合成器（Ｉｍａｇｅ  Ｃｏｍｐｏｓｉｔｏｒ  Ｍｏｄｕｌｅ）、イメージ客体が表示される座標を算出する座標合成器、構成されたイメージ客体を算出された座標にレンダリングするレンダリングモジュール、２Ｄまたは３ＤのＵＩを構成するためのツール（Ｔｏｏｌ）を提供する２Ｄ／３ＤＵＩツールキット等を含んでよい。
【０２８９】
ウィンドウマネージャ１４２−８は、タッチセンサによってセンシングされるタッチイベントを検知したり、その他の入力手段によって入力される入力イベントを検知することができる。ウィンドウ管理モジュール１４７−１は、このようなイベントが検知されると、ＵＩフレームワーク１４２−７にイベントを伝達し、イベントに対応する動作を行うようにする。
【０２９０】
フレキシブルウィンドウマネージャ１４２−９は、ベンディングが検知された際、ベンディングに応じてシステムを管理するためのモジュールである。フレキシブルウィンドウマネージャ１４２−９は、ベンディングイベントが発生したと検知されると、フレキシブルＵＩフレームワーク１４３にベンディングイベントを伝送する。
【０２９１】
フレキシブルＵＩフレームワーク１４３は、プラグインモジュール１４３−１、ベンディングコア１４３−２、イベントハンドラーモジュール１４３−３を含む。プラグインモジュール１４３−１とは、ミドルウェア１４２にフレキシブルＵＩフレームワーク１４３を接続してローディングさせる役割を担う。図４３において、カーネル１４１と、ミドルウェア１４２と、アプリケーション１４４等は既存の電子装置のソフトウェアをそのまま使用し、プラグインモジュール１４３−１を用いてフレキシブルＵＩフレームワーク１４３を接続させることができる。それにより、既存のシステムと互換性を保持しつつ、ベンディングによる制御動作まで更に提供することができる。
【０２９２】
イベントハンドラー１４３−３は、ベンディングが生じた際、そのベンディングによる動作を制御するためのモジュールである。イベントハンドラー１４３−３は、プラグインモジュール１４３−１を介してフレキシブルウィンドウマネージャ１４２−９から各種ベンディングイベントを受信し、イベント別の優先順位に応じてイベントを分類する。ここで、ベンディングイベントとは、特定形のベンディングが検知されるイベントを意味する。
【０２９３】
ベンディングコア１４３−２は、イベントハンドラー１４３−３によって分類されたベンディングイベントをキューイングし、ベンディングイベントと当該プログラム（アプリケーション、ウィジェット等）をマッチングさせる。それにより、ベンディングイベントにマッチングしたプログラムを実行させる。
【０２９４】
一方、ベンディングコア１４３−２は、各ベンディング形に対応するベンディングインタラクションガイドを客体上に付加的にレンダリングするためのレンダリングイベント信号をプラグインモジュール１４３−１を介してＵＩフレームワーク１４２−７に伝送することができる。それにより、画面上の各客体にはベンディングインタラクションガイドが重畳されて表示されてよい。なお、ベンディングコア１４３−２は、特定ベンディングが発生し、画面が転換されるべき場合には、転換される画面をレンダリングするためのレンダリングイベント信号をプラグインモジュール１４３−１を介してＵＩフレームワーク１４２−７に伝達することもできる。
【０２９５】
その他に、アプリケーションモジュール１４４は、多様な機能をサポートするためのアプリケーションを含む。例えば、ナビゲーションプログラムモジュール、ゲームモジュール、電子書籍モジュール、カレンダモジュール、アラーム管理モジュール等のような多様なサービスを提供するためのプログラムモジュールを含んでよい。
【０２９６】
その他にも、保存部１４０には、各種センサからセンシングされた信号を分析するためのセンシングモジュールや、メッセンジャプログラム、ＳＭＳ（Ｓｈｏｒｔ  Ｍｅｓｓａｇｅ  Ｓｅｒｖｉｃｅ）＆ＭＭＳ（Ｍｕｌｔｉｍｅｄｉａ  Ｍｅｓｓａｇｉｎｇ  Ｓｅｒｖｉｃｅ）プログラム、Ｅメールプログラム等のようなメッセージングモジュール、電話情報収集器（Ｃａｌｌ  Ｉｎｆｏ  Ａｇｇｒｅｇａｔｏｒ）プログラムモジュール、ＶｏＩＰモジュール、ウェブブラウザモジュール等のように、多様なプログラムが設けれてよい。
【０２９７】
以上のように、図４３によると、ベンディングを除くその他のユーザ操作によってシステム動作を制御するためのミドルウェア１４２と、ベンディングによってシステム動作を制御するためのフレームワーク１４３とが相互接続されるように設計されてよい。それにより、既存のシステムのソフトウェア構成と互換性を有してよい。しかし、必ずしもこのようなソフトウェア構造でプログラミングされる必要はなく、単一フレームワークで一般のユーザ操作及びベンディング操作を全て管理するように設計することもできる。
【０２９８】
メインＣＰＵ１２２は、フレキシブル装置１００がターンオンされたり、ロック解除状態になると、メイン画面を表示する。メイン画面には、各種アイコンが表示される。メインＣＰＵ１２２は、フレキシブルＵＩフレームワーク１４３及びＵＩフレームワーク１４２−７を用いてベンディングインタラクションガイドの表示状態を調整するための各種基礎データをグラフィック処理部１３０に提供する。基礎データは、ベンディングインタラクションガイドの形、位置、大きさ、色相、表示時間等のような多様なデータであってよい。それにより、上述のように、グラフィック処理部１２３は、ベンディングインタラクションガイドを生成し、ディスプレイ部１５０の客体上に付加してディスプレイする。
【０２９９】
図４３に示す各種プログラムモジュールは、フレキシブル装置１００の種類及び特性に応じて一部省略されたり、変形または追加されてよい。
【０３００】
一方、上述の多様な実施形態では、フレキシブル装置１００が平板状で示しているが、フレキシブル装置１００は多様な形態で実現されてよい。仮に、フレキシブルではない材質で製作された本体にフレキシブルディスプレイ装置１００が内蔵される形態で実現されてよい。
【０３０１】
図４４は、本体に内蔵されたフレキシブル装置の形態の一例を示す図である。図４４によると、フレキシブル装置１００は、本体４４００と、ディスプレイ部１５０と、グリップ部４４１０を含んでよい。
【０３０２】
本体４４００は、ディスプレイ部１５０を収める一種の筐体の役割を担う。フレキシブルディスプレイ装置１００が、図４４のように、多様な構成要素を含む場合、ディスプレイ部１５０及び一部センサを除く残りの構成要素は本体４４００に搭載されてよい。本体４４００は、ディスプレイ部１５０をローリングさせる回転ローラを含む。それにより、未使用時にはディスプレイ部１５０は回転ローラを中心にローリングされ、本体４４００の内部に内蔵されてよい。
【０３０３】
ユーザがグリップ部４４１０を把持して引っ張ると、回転ローラがローリングの反対方向に回転しながらローリングが解除され、ディスプレイ部１５０が本体４４００の外部に飛び出るようになる。回転ローラには、ストッパーが設けられてよい。それにより、ユーザがグリップ部４４１０を一定距離以上に引っ張ると、ストッパーによって回転ローラの回転が停止され、ディスプレイ部１５０が固定されてよい。それにより、ユーザは外部に露出しているディスプレイ部１５０を用いて各種機能を実行させることができる。一方、ユーザがストッパーを解除するためのボタンを押すと、ストッパーが解除されつつ、回転ローラが逆方向に回転し、結果的に、ディスプレイ部１５０が本体４４００内に再びローリングされてよい。ストッパーは、回転ローラを回転させるためのギアの動作を停止させるスイッチ形状であってよい。回転ローラ及びストッパーに対しては、通常のローリング構造体で使用される構造がそのまま利用されてよいことから、それに対する具体的な図示及び説明は省略する。
【０３０４】
一方、本体４４００には、電源部１８０が含まれる。電源部１８０は、使い捨てのバッテリが装着されたバッテリ接続部と、ユーザが複数回充電して使用できる２次電池、太陽熱を用いて発電を行う太陽電池等のように、多様な形態で実現されてよい。２次電池で実現される場合、ユーザは本体４４００と外部電源を有線で接続して電源部１８０を充電させることができる。
【０３０５】
図４４では、円筒型構造の本体４４００が示されているが、本体４４００の形状は四角やその他の多角形のように実現されてよい。なお、ディスプレイ部１５０が本体４４００から内蔵された状態で、プーリング（Ｐｕｌｌｉｎｇ）によって外部に露出する形態ではなく、本体の外部を包む形態やその他の多様な形態で実現されてよい。
【０３０６】
図４５は、電源部１８０が脱・付着自在の形態のフレキシブル装置を示す図である。図４５によると、電源部１８０は、フレキシブル装置の一側の周縁に設けられ、脱・付着されてよい。
【０３０７】
電源部１８０は、フレキシブルな材質で実現され、ディスプレイ部１５０とともにベンディングされてよい。具体的に、電源部１８０は、負極集電体、負極電極、電解質部、正極電極、正極集電体及びこれらを覆う被覆部を含んでよい。
【０３０８】
一例として、集電体は、弾性特性が優れたＴｉＮｉ系のような合金類、銅アルミニウム等のような純金属類、炭素がコーティングされた純金属、炭素、炭素繊維等のような導電性物質、ポリピロールのような伝導性高分子等で実現されてよい。
【０３０９】
負極電極は、リチウム、ナトリウム、亜鉛、マグネシウム、カドミウム、水素吸蔵合金、鉛等の金属類と、炭素等の非金属類そして、有機硫のような高分子電極物質のような負電極物質で製作されてよい。
【０３１０】
正極電極は、硫及び硫化物、ＬｉＣｏＯ２等のリチウム遷移金属酸化物、ＳＯＣｌ２、ＭｎＯ２、Ａｇ２Ｏ、Ｃｌ２、ＮｉＣｌ２、ＮｉＯＯＨ、高分子電極等の正電極物質で製作されてよい。電解質部は、ＰＥＯ、ＰＶｄＦ、ＰＭＭＡ、ＰＶＡＣ等を利用したジェル（ｇｅｌ）状に実現されてよい。
【０３１１】
被覆部は、通常の高分子樹脂を使用してよい。例えば、ＰＶＣ、ＨＤＰＥやエポシキ樹脂等が使用されてよい。その他に、糸状の電池の破損を防止しつつ、自由に曲がることができる材質なら、被覆部として使用されてよい。
【０３１２】
電源部１８０内の正極電極及び負極電極は、各々外部と電気的に接続するためのコネクタを含んでよい。
【０３１３】
図４５によると、コネクタが電源部１８０から突出している形態で形成され、ディスプレイ部１５０にはコネクタの位置、大きさ、形状に対応する溝が形成される。それにより、コネクタ及び溝の結合によって電源部１８０がディスプレイ部１５０と結合されてよい。電源部１８０のコネクタは、フレキシブル装置１００の内部の電源接続パッド（図示せず）と接続されて電源を供給することができる。
【０３１４】
図４５では、電源部１８０がフレキシブルディスプレイ装置１００の一側の周縁で脱・付着自在な形態で示しているが、それは一例に過ぎず、電源部１８０の位置及び形態は製品の特性に応じて多様に異なってよい。仮に、フレキシブル装置１００がある程度の厚さを有する製品である場合には、フレキシブル装置１００の背面に電源部１８０が装着されてよい。
【０３１５】
一方、上述のように、ベンディングインタラクションガイドまで提供するとしても、ユーザが誤ってベンディングさせたり、意図しないベンディングが行われる場合があってよい。この場合、フレキシブル装置１００では、フィードバックを提供することもできる。このようなフィードバックは、視覚や聴覚、触覚等を用いて提供されてよい。
【０３１６】
図４６は、視覚的メッセージを用いてフィードバックする場合を示す。図４６によると、誤ったベンディングであることを報知するためのメッセージＥがディスプレイ部１５０に表示される。図４６のような視覚的フィードバックではない音声フィードバックが提供されてよい。音声フィードバックの例として、警告音、誤った入力であることを報知する音声メッセージ、正しいベンディング入力方法を説明する音声メッセージ等のように、多様なメッセージであってよい。その他に、触覚フィードバックの例としては、フレキシブル装置１００全体に対する振動、ユーザの身体が接触されている表面における局部的な振動、誤ったベンディングラインを凹状に変形させるアクチュエーティング動作、正しいベンディングの形でフレキシブル装置１００を自動的に変形させるアクチュエーティング動作、ユーザの身体が接触されている部分に静電気を発生させて誤って入力された状態であることを報知する動作、ユーザの身体が接触されている部分に熱を発生させて誤って入力された状態であることを報知する動作等であってよい。
【０３１７】
以上のように、ユーザはフィードバックによって自分の意図しなかったベンディング操作が行われたか、または、正確ではないベンディング操作が行われたかを直ちに確認し、それに対応する後続措置を取ることができるようになる。上述のような実施形態では、意図しなかったり誤ったベンディング操作に対するフィードバックを説明  しているが、このようなフィードバック動作は誤ったタッチ操作や、モーション操作、音声操作等に対しても同様に拡張適用できることはいうまでもない。なお、ユーザが意図したベンディング操作として判断され、動作を行う場合でも肯定的な内容のフィードバックが提供できることはいうまでもない。
【０３１８】
一方、上述の多様な実施形態では、ベンディングイインタラクションガイドが多様な種類の客体に常に表示されるように示されているが、本発明の更に別の実施形態によると、ベンディングインタラクションガイドは、ユーザの選択によって活性化または非活性化されてよい。すなわち、フレキシブル装置１００の画面上にベンディングインタラクションガイドのオン／オフ制御のためのメニューをディスプレイしたり、本体に別途の機能キー（ｆｕｎｃｔｉｏｎ  ｋｅｙ）を設けてよい。それにより、ユーザが当該メニューまたは機能キーを選択すると、その選択によってベンディングインタラクションガイドが付加されて表示されたり、除去されてよい。その他に、ベンディングインタラクションガイドのオン／オフ制御も別途に設定されたベンディングによって行われてよい。仮に、フォールディング動作がマッチングした場合、一度フォールディングするとベンディングインタラクションガイドが表示され、もう一度フォールディングするとベンディングインタラクションガイドが削除されてよい。
【０３１９】
一方、ベンディングインタラクションガイドは、平常時には表示されないが、ユーザがベンディングをするために、フレキシブル装置１００を把持した際、一定時間の間表示されてよい。
【０３２０】
図４７は、このような実施形態に係るフレキシブル装置１００の画面構成の一例を示す図である。図４７によると、フレキシブル装置１００はディスプレイ部１５０の周縁領域にベゼル４７１０が形成される。
【０３２１】
フレキシブル装置１００は、特定アプリケーションが実行されると、その実行画面４７００をディスプレイ部１５０を介してディスプレイする。具体的には、図４７では、ウェブブラウザが実行されてウェブサーバからウェブページデータを受信した後、そのウェブページをディスプレイしている状態を示す。このような場合にも、ベンディングが行われると、そのベンディングに対応する制御動作が行われる。しかし、ベンディングインタラクションガイドは表示されない。
【０３２２】
ユーザは、フレキシブル装置１００をベンディングさせるために、ベゼル４７１０を握ることができる。フレキシブル装置１００の制御部１２０は上述のグリップセンサや圧力センサ等を用いて、ユーザがベゼル４７１０を把持したか否かを検知することができる。制御部１２０は、ユーザがベゼル４７１０を片手または両手で握ったと判断されると、ベンディングインタラクションガイド４７２１〜４７２７をディスプレイする。ベンディングインタラクションガイド４７２１〜４７２７は、現在実行中のアプリケーションの機能にマッチングするガイドのみがディスプレイされてよい。具体的には、図４７によると、左上段角を曲げてから開くベンディングを示す第１ベンディングインタラクションガイド４７２１と、左下段角を曲げてから開くベンディングを示す第２ベンディングインタラクションガイド４７２２と、右下段角を曲げてから開くベンディングを示す第３ベンディングインタラクションガイド４７２３と、右上段角を曲げてから開くベンディングを示す第４ベンディングインタラクションガイド４７２４、左側周縁部分を曲げてから開くベンディングを示す第５ベンディングインタラクションガイド４７２５、中央部分を曲げてから開くベンディングを示す第６ベンディングインタラクションガイド４７２６と、右側周縁部分を曲げてから開くベンディングを示す第７ベンディングインタラクションガイド４７２７が画面４７００上に表示されてよい。
【０３２３】
ユーザは、各ベンディングインタラクションガイド４７２１〜４７２７を見て、その中の一つを見て特定形のベンディングを取ることができる。それにより、そのベンディングに対応する制御動作が行われる。
【０３２４】
仮に、第１ベンディングインタラクションガイド４７２１に沿って右上段角を折ってから開く画面４７００が右側下側方向に移動される。その他に、第２ないし第４ベンディングインタラクションガイド４７２２、４７２３、４７２４等に沿って他の角部分をベンディングアンドフラットさせると、そのベンディング領域に応じて画面上に表示されるウェブページの領域が移動することができる。
【０３２５】
または、第５ベンディングインタラクションガイド４７２５に沿って左側周縁をベンディングアンドフラットさせると、以前のページに転換し、第７ベンディングインタラクションガイド４７２７に沿って右側周縁をベンディングアンドフラットさせると、次のページに転換することができる。一方、第６ベンディングインタラクションガイド４７２６に沿ってフォールディングが行われると、ウェブブラウジングが終了し、ウェブページ４７００が消えてよい。
【０３２６】
図４７においては、ライン形のベンディングインタラクションガイド４７２１〜４７２７のみが示されているが、そのベンディングインタラクションガイド４７２１〜４７２７の周辺またはそのライン上には当該ベンディングに対応する制御動作を意味する記号やイメージ、テキスト等が同時に表示されてよい。
【０３２７】
一方、上述の多様な実施形態に係る客体及びベンディング間のマッピング方法、ベンディングに対応するベンディングインタラクションガイド表示方法、ベンディングに対応する制御方法等は、プログラムで実現されてフレキシブル装置に提供されてよい。
【０３２８】
一例として、ベンディングに対するベンディングインタラクションガイドの付加された客体を含む画面を提供するステップと、フレキシブル装置のベンディングを検知するステップと、画面上に表示された客体に対して設定されたベンディングが検知されると、客体に対応する動作を行うステップを行うプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０３２９】
その他に、上述の多様な実施形態に係るベンディングインタラクションガイド表示方法を行うためのプログラムが保存された非一時的な読み取り可能な媒体が提供されてよい。
【０３３０】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０３３１】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０３３２】
１００…  フレキシブル装置
１１０…  検知部
１１１…  地磁気センサ
１１２…  ジャイロセンサ
１１３…  加速度センサ
１１４…  タッチセンサ
１１５…  ベンドセンサ
１１６…  圧力センサ
１１７…  近接センサ
１１８…  グリップセンサ
１２０…  制御部
１２１…  ＲＡＭ
１２２…  ＲＯＭ
１２３…  メインＣＰＵ
１２６…  バス
１３０…  グラフィック処理部
１４０…  保存部
１５０…  ディスプレイ部
１５１…  基盤
１５２…  駆動部
１５３…  ディスプレイパネル
１５４…  保護層
１６０…  インターフェース部
１６１…  Ｗｉ−Ｆｉチップ
１６２…  ブルートゥースチップ
１６３…  ＮＦＣチップ
１６４…  無線通信チップ
１６５…  ＧＰＳ受信部
１６６…  ＤＭＢ受信部
１７０…  オーディオ処理部
１７５…  ビデオ処理部
１８０…  電源部
１８５…  スピーカ
１９１…  ボタン
１９２…  ＵＳＢポート
１９３…  カメラ
１９４…  マイク
４４００…  本体
４４１０…  グリップ部
【図１】
2014029690.tif 000003
【図２】
2014029690.tif 000004
【図３】
2014029690.tif 000005
【図４】
2014029690.tif 000006
【図５】
2014029690.tif 000007
【図６】
2014029690.tif 000008
【図７】
2014029690.tif 000009
【図８】
2014029690.tif 000010
【図９】
2014029690.tif 000011
【図１０】
2014029690.tif 000012
【図１１】
2014029690.tif 000013
【図１２】
2014029690.tif 000014
【図１３】
2014029690.tif 000015
【図１４】
2014029690.tif 000016
【図１５】
2014029690.tif 000017
【図１６】
2014029690.tif 000018
【図１７】
2014029690.tif 000019
【図１８】
2014029690.tif 000020
【図１９】
2014029690.tif 000021
【図２０】
2014029690.tif 000022
【図２１】
2014029690.tif 000023
【図２２】
2014029690.tif 000024
【図２３】
2014029690.tif 000025
【図２４】
2014029690.tif 000026
【図２５】
2014029690.tif 000027
【図２６】
2014029690.tif 000028
【図２７】
2014029690.tif 000029
【図２８】
2014029690.tif 000030
【図２９】
2014029690.tif 000031
【図３０】
2014029690.tif 000032
【図３１】
2014029690.tif 000033
【図３２】
2014029690.tif 000034
【図３３】
2014029690.tif 000035
【図３４】
2014029690.tif 000036
【図３５】
2014029690.tif 000037
【図３６】
2014029690.tif 000038
【図３７】
2014029690.tif 000039
【図３８】
2014029690.tif 000040
【図３９】
2014029690.tif 000041
【図４０】
2014029690.tif 000042
【図４１】
2014029690.tif 000043
【図４２】
2014029690.tif 000044
【図４３】
2014029690.tif 000045
【図４４】
2014029690.tif 000046
【図４５】
2014029690.tif 000047
【図４６】
2014029690.tif 000048
【図４７】
2014029690.tif 000049